(57)【要約】【課題】高周波の二方向性電気エネルギー電源へ応用時、小型化、軽量化、コスト削減可能なＬＥＤ一方向性駆動回路を提供する。【解決手段】キャパシティブインピーダンスコンポネント、誘導性インピーダンスコンポネント或いは抵抗性インピーダンスコンポネントにより第一インピーダンスＺ１０１及び第二インピーダンスＺ１０２をそれぞれ構成し、二者を直列接続した両端に交流電気エネルギーが入力され、直列接続する第一インピーダンスＺ１０１及び第二インピーダンスＺ１０２を通して、入力する電源電圧を分圧し、分圧の電気エネルギーを整流装置ＢＲ１０１へ伝送し、かつ発光ダイオードＬＥＤ１０１によって一方向性導電発光ダイオードセットＬ１００を構成し、整流装置ＢＲ１０１の直流出力端に並列接続し、整流装置ＢＲ１０１から出力する直流電気エネルギーによって駆動かつ発光する。【選択図】図２
2009170918.tif 000002
【特許請求の範囲】
【請求項１】
キャパシティブインピーダンスコンポネント、誘導性インピーダンスコンポネント或いは抵抗性インピーダンスコンポネントによって、第一インピーダンスを構成し、
キャパシティブインピーダンスコンポネント、誘導性インピーダンスコンポネント或いは抵抗性インピーダンスコンポネントによって、第二インピーダンスを構成し、
前記第一インピーダンスと前記第二インピーダンスとを直列接続したその両端に、固定或いは可変電圧及び固定或いは可変周波数の交流電気エネルギーを入力し、或いは、直流電源から転換される固定或いは可変電圧及び固定或いは可変周波数或いは周期の二方向性正弦波電圧、二方向性方波電圧、或いは二方向性脈動波形の電圧の交流電気エネルギーを入力し、或いは、交流電気エネルギーを整流した直流電気エネルギーを再転換した固定或いは可変電圧及び固定或いは可変周波数或いは周期の二方向性正弦波電圧、二方向性方波電圧、或いは二方向性脈動波形の電圧の交流電気エネルギーを入力し、
直列接続する前記第一インピーダンス及び前記第二インピーダンスを通して、入力する電源電圧を分圧し、分圧の電気エネルギーを整流装置へ伝送し、
発光ダイオードによって一方向性導電発光ダイオードセットを構成し、前記整流装置の直流出力端に並列接続し、前記整流装置から出力する直流電気エネルギーによって駆動かつ発光し、
前記第一インピーダンス、前記第二インピーダンス、前記整流装置、前記一方向性導電発光ダイオードセット、前記発光ダイオード及び上記に選択した各項の補助性回路コンポネントは、必要に応じて設置するかしないかの選択が可能であり、設置数量は一個或いは一個以上によって構成され、一個以上を選択する場合、応用時の回路機能の必要に応じて、相対極性関係を選定し、直列、並列または直並列に接続することを特徴とする二方向性電気エネルギーインピーダンス分圧によるＬＥＤ一方向性駆動回路。
【請求項２】
少なくとも一個のキャパシティブインピーダンスコンポネント、誘導性インピーダンスコンポネント或いは抵抗性インピーダンスコンポネントによって、前記第一インピーダンスを構成し、
少なくとも一個のキャパシティブインピーダンスコンポネント、誘導性インピーダンスコンポネント或いは抵抗性インピーダンスコンポネントによって、前記第二インピーダンスを構成し、
前記第一インピーダンスコンポネントと前記第二インピーダンスコンポネントとを直列接続し、かつ少なくとも一個の前記整流装置を設け、前記整流装置の交流入力端へ前記第一インピーダンス或いは前記第二インピーダンスの両端の分圧の電気エネルギーを入力し、
少なくとも一個の前記一方向性導電の発光ダイオードセットを設け、前記整流装置から出力する直流電気エネルギーによって駆動され、
前記第一インピーダンスと前記第二インピーダンスとを直列接続したその両端は、固定或いは可変電圧及び固定或いは可変周波数の交流電気エネルギーを入力し、或いは、直流電源から転換される固定或いは可変電圧及び固定或いは可変周波数或いは周期の二方向性正弦波電圧、二方向性方波電圧、或いは二方向性脈動波形の電圧の交流電気エネルギーを入力し、或いは、交流電気エネルギーを整流した直流電気エネルギーを再転換した固定或いは可変電圧及び固定或いは可変周波数或いは周期の二方向性正弦波電圧、二方向性方波電圧、或いは二方向性脈動波形の電圧の交流電気エネルギーを入力し、
前記第一インピーダンス或いは前記第二インピーダンスの分圧の電気エネルギーを通して、前記整流装置によって直流電気エネルギーに整流してから、少なくとも一個の前記一方向性導電発光ダイオードを駆動し、或いは少なくとも二個の別々に並列接続する前記第一インピーダンス及び前記第二インピーダンスの両端にある前記整流装置を駆動し、前記整流装置によって、別々に前記第一インピーダンス及び前記第二インピーダンスの交流電気エネルギーを直流に整流して出力し、更に個別の前記一方向性導電発光ダイオードを駆動し、
前記第一インピーダンス（Ｚ１０１）は、キャパシティブインピーダンスコンポネント、誘導性インピーダンスコンポネント或いは抵抗性インピーダンスコンポネントの中の一種或いは一種以上及び一個或いは一個以上のインピーダンスコンポネントによって構成され、或いは必要に応じて二種或いは二種以上のインピーダンスコンポネントによって構成され、かつ各種インピーダンスコンポネントは別々に一個或いは一個以上で、直列、並列または直並列接続によって構成され、
或いは、前記第一インピーダンス（Ｚ１０１）は、少なくとも一個のキャパシティブインピーダンスコンポネントと少なくとも一個の誘導性インピーダンスコンポネントとを互いに直列接続し、その固有直列共振周波数は、電源からの二方向電気エネルギー、例えば交流電気エネルギーの周波数、或いは直流電気エネルギーから転換される固定或いは可変交換極性周期の電気エネルギーの交換極性周期と同じで、かつ直列共振状態を形成し、
或いは、前記第一インピーダンス（Ｚ１０１）は、少なくとも一個のキャパシティブインピーダンスコンポネントと少なくとも一個の誘導性インピーダンスコンポネントとを互いに並列接続し、その固有並列共振周波数は、電源からの二方向電気エネルギー、例えば交流電気エネルギーの周波数或いは直流電気エネルギーから転換される固定或いは可変交換極性周期の電気エネルギーの交換極性周期と同じで、かつ並列共振状態を形成し、
前記第二インピーダンス（Ｚ１０２）は、キャパシティブインピーダンスコンポネント、誘導性インピーダンスコンポネントまた抵抗性インピーダンスコンポネントの中の一種或いは一種以上及び一個或いは一個以上のインピーダンスコンポネントによって構成され、或いは必要に応じて二種或いは二種以上のインピーダンスコンポネントによって構成され、かつ各種インピーダンスコンポネントは一個或いは一個以上で、直列、並列または直並列接続によって構成し、
或いは、前記第二インピーダンス（Ｚ１０２）は、少なくとも一個のキャパシティブインピーダンスコンポネントと少なくとも一個の誘導性インピーダンスコンポネントとを互いに直列接続し、その固有直列共振周波数は、電源からの二方向電気エネルギー、例えば交流電気エネルギーの周波数、或いは直流電気エネルギーから転換される固定或いは可変交換極性周期の電気エネルギーの交換極性周期と同じで、かつ直列共振状態を形成し、
或いは、前記第二インピーダンス（Ｚ１０２）は、少なくとも一個のキャパシティブインピーダンスコンポネントと少なくとも一個の誘導性インピーダンスコンポネントを互いに並列接続し、その固有並列共振周波数は、電源からの二方向電気エネルギー、例えば交流電気エネルギーの周波数、或いは直流電気エネルギーから転換される固定或いは可変交換極性周期の電気エネルギーの交換極性周期と同じで、かつ並列共振状態を形成し、
少なくとも一個の前記第一インピーダンス（Ｚ１０１）と少なくとも一個の前記第二インピーダンス（Ｚ１０２）とを互いに直列接続し、前記第一インピーダンス（Ｚ１０１）と前記第二インピーダンス（Ｚ１０２）とを互いに直列接続したその両端は、固定或いは可変電圧及び固定或いは可変周波数の交流電気エネルギーを入力し、或いは、直流電源から転換される固定或いは可変電圧及び固定或いは可変周波数或いは周期の二方向性正弦波電圧、二方向性方波電圧、或いは二方向性脈動波形の電圧の交流電気エネルギーを入力し、或いは、交流電気エネルギーを整流した直流電気エネルギーを再転換した固定或いは可変電圧及び固定或いは可変周波数或いは周期の二方向性正弦波電圧、二方向性方波電圧、或いは二方向性脈動波形の電圧の交流電気エネルギーを入力し、
入力する電気エネルギーが前記第一インピーダンス（Ｚ１０１）の両端及び前記第二インピーダンス（Ｚ１０２）の両端に形成する分圧の電気エネルギーを通して、分圧の電気エネルギーを前記整流装置（ＢＲ１０１）の交流入力端へ伝送し、
前記整流装置（ＢＲ１０１）は、前記第一インピーダンス（Ｚ１０１）或いは前記第二インピーダンス（Ｚ１０２）の両端に並列接続し、或いは同時に前記第一インピーダンス（Ｚ１０１）及び前記第二インピーダンス（Ｚ１０２）の両端に並列接続することによって、前記第一インピーダンス（Ｚ１０１）或いは前記第二インピーダンス（Ｚ１０２）の両端の分圧する電気エネルギーを直流の電気エネルギーに整流することによって、前記一方向性導電発光ダイオードセット（Ｌ１００）を駆動し、
前記整流装置（ＢＲ１０１）は、ブリッジ整流器或いは半波整流器より構成することが可能であり、数量は一個或いは一個以上であり、
前記一方向性導電発光ダイオードセット（Ｌ１００）は、一個の発光ダイオード順発光電流極性検出器より構成し、或いは二個或いは二個以上の発光ダイオード順発光電流極性検出器を直列或いは並列接続にして構成し、或いは三個或いは三個以上の発光ダイオード順発光電流極性検出器を直列、並列または直並列接続にして構成し、
前記一方向性導電発光ダイオードセット（Ｌ１００）は必要に応じて一セット或いは一セット以上の選択設置が可能で、前記整流装置（ＢＲ１０１）出力の直流の電気エネルギーによって駆動し、
ＬＥＤ一方向性駆動回路（Ｕ１００）の中の前記第一インピーダンス（Ｚ１０１）、前記第二インピーダンス（Ｚ１０２）、前記一方向性導電発光ダイオードセット（Ｌ１００）及び前記整流装置（ＢＲ１０１）は、必要に応じて一個或いは一個以上の選択が可能であって、
前記第一インピーダンス或いは前記第二インピーダンスの分圧の電気エネルギーを通して、前記整流装置（ＢＲ１０１）によって直流電気エネルギーに整流してから、少なくとも一個の前記一方向性導電発光ダイオードを駆動し、或いは少なくとも二個の別々に前記第一インピーダンス（Ｚ１０１）及び前記第二インピーダンス（Ｚ１０２）の両端に並列接続する前記整流装置（ＢＲ１０１）を駆動し、前記整流装置（ＢＲ１０１）によって、別々に前記第一インピーダンス（Ｚ１０１）及び前記第二インピーダンス（Ｚ１０２）の交流電気エネルギーを直流に整流して出力し、更に個別の前記一方向性導電発光ダイオードを駆動することを特徴とすることを特徴とする請求項１に記載の二方向性電気エネルギーインピーダンス分圧によるＬＥＤ一方向性駆動回路。
【請求項３】
前記第一インピーダンス（Ｚ１０１）は、少なくとも一個のキャパシティブインピーダンスによって構成され、特に第一コンデンサー（Ｃ１００）によって構成され、数量は一個或いは一個以上であって、
前記第二インピーダンス（Ｚ１０２）は、少なくとも一個のキャパシティブインピーダンスによって構成され、特に第二コンデンサー（Ｃ１０２）によって構成され、数量は一個或いは一個以上であって、
少なくとも一個の前記第一インピーダンス（Ｚ１０１）と少なくとも一個の前記第二インピーダンス（Ｚ１０２）とを直列接続し、直列接続したその両端は、固定或いは可変電圧及び固定或いは可変周波数の交流電気エネルギーを入力し、或いは、直流電源から転換される固定或いは可変電圧及び固定或いは可変周波数或いは周期の二方向性正弦波電圧、二方向性方波電圧、或いは二方向性脈動波形の電圧の交流電気エネルギーを入力し、或いは、交流電気エネルギーを整流した直流電気エネルギーを再転換した固定或いは可変電圧及び固定或いは可変周波数或いは周期の二方向性正弦波電圧、二方向性方波電圧、或いは二方向性脈動波形の電圧の交流電気エネルギーを入力し、
少なくとも一個の前記整流装置（ＢＲ１０１）を設置することによって、前記第一インピーダンス（Ｚ１０１）或いは前記第二インピーダンス（Ｚ１０２）の両端からの分圧電気エネルギーを入力し、或いは二個或いは二個以上の前記整流装置（ＢＲ１０１）を設置し、別々に前記第一インピーダンス（Ｚ１０１）及び前記第二インピーダンス（Ｚ１０２）の両端からの分圧電気エネルギーを入力し、前記第一インピーダンス（Ｚ１０１）或いは前記第二インピーダンス（Ｚ１０２）の両端の分圧する電気エネルギーを直流の電気エネルギーに整流し、前記一方向性導電発光ダイオードセット（Ｌ１００）を駆動し、
前記整流装置（ＢＲ１０１）は、ブリッジ整流器或いは半波整流器より構成することが可能であり、数量は一個或いは一個以上であり、
前記一方向性導電発光ダイオードセット（Ｌ１００）は、一個の発光ダイオード（ＬＥＤ１０１）順発光電流極性検出器より構成し、或いは二個或いは二個以上の前記発光ダイオード（ＬＥＤ１０１）順発光電流極性検出器を直列或いは並列接続にして構成し、或いは三個或いは三個以上の発光ダイオード（ＬＥＤ１０１）順発光電流極性検出器を直列、並列または直並列接続にして構成し、前記一方向性導電発光ダイオードセット（Ｌ１００）は、必要に応じて一セット或いは一セット以上の選択が可能で、前記整流装置（ＢＲ１０１）出力の直流の電気エネルギーによって駆動し、
前記整流装置（ＢＲ１０１）の交流入力端へ前記第二インピーダンス（Ｚ１０２）の前記第二コンデンサー（Ｃ１０２）の両端にある分電圧の電気エネルギーを入力し、前記整流装置（ＢＲ１０１）によって直流電気エネルギーに整流することによって、前記一方向性導電発光ダイオードセット（Ｌ１００）を駆動し、また前記第一インピーダンス（Ｚ１０１）のインピーダンスを通して電流を限制し、前記第一インピーダンス（Ｚ１０１）にキャパシティブインピーダンスコンポネントである前記第一コンデンサー（Ｃ１００）を選用するとき、キャパシティブインピーダンスを通して出力電流を制限し、
第一放電抵抗（Ｒ１０１）は、オプションコンポネントであって、前記第一インピーダンス（Ｚ１０１）の前記第一コンデンサー（Ｃ１００）の両端に並列接続することによって、前記第一コンデンサー（Ｃ１００）の残留電荷を放電し、
第二放電抵抗（Ｒ１０２）は、オプションコンポネントであって、前記第二インピーダンス（Ｚ１０２）の前記第二コンデンサー（Ｃ１０２）の両端に並列接続することによって、前記第二コンデンサー（Ｃ１０２）の残留電荷を放電し、
限流抵抗（Ｒ１０３）は、オプションコンポネントであって、個別前記一方向性導電発光ダイオードセット（Ｌ１００）を構成する前記発光ダイオード（ＬＥＤ１０１）を直列に接続することによって、前記発光ダイオード（ＬＥＤ１０１）の通過電流を制限し、前記限流抵抗（Ｒ１０３）は第一誘導性インピーダンス（Ｉ１０３）によって取り替えられることが可能であり、
前記第一インピーダンス（Ｚ１０１）、前記第二インピーダンス（Ｚ１０２）、前記整流装置（ＢＲ１０１）及び前記一方向性導電発光ダイオードセット（Ｌ１００）を通して、上記の配線構造に従って接続し、ＬＥＤ一方向性駆動回路（Ｕ１００）を構成することを特徴とする請求項１に記載の二方向性電気エネルギーインピーダンス分圧によるＬＥＤ一方向性駆動回路。
【請求項４】
ＬＥＤ一方向性駆動回路（Ｕ１００）は、前記一方向性導電発光ダイオードセット（Ｌ１００）を通して、前記整流装置（ＢＲ１０１）と前記第二インピーダンス（Ｚ１０２）とを経て、並列接続の電流分流効果を形成し、電源電圧が変動するとき、前記一方向性導電発光ダイオードセット（Ｌ１００）の両端に相対する電源の電圧変動率を減少させることが可能であることを特徴とする請求項１に記載の二方向性電気エネルギーインピーダンス分圧によるＬＥＤ一方向性駆動回路。
【請求項５】
ＬＥＤ一方向性駆動回路（Ｕ１００）の中で、前記発光ダイオード（ＬＥＤ１０１）は、前記一方向性導電発光ダイオードセット（Ｌ１００）を構成し、
一方向性導電発光ダイオードセット（Ｌ１００）は、一個の発光ダイオード順発光電流極性検出器を設置するによって構成され、或いは二個或いは二個以上の発光ダイオード順発光電流極性検出器を直列接続或いは並列接続によって構成され、或いは三個或いは三個以上の発光ダイオード順発光電流極性検出器を直列接続、並列接続または直並列接続によって構成され、
前記一方向性導電発光ダイオードセット（Ｌ１００）は、必要に応じて一セット或いは一セット以上を選択設置することを特徴とする請求項１に記載の二方向性電気エネルギーインピーダンス分圧によるＬＥＤ一方向性駆動回路。
【請求項６】
前記ＬＥＤ一方向性駆動回路（Ｕ１００）において、更に前記一方向性導電発光ダイオードセット（Ｌ１００）を構成する前記発光ダイオード（ＬＥＤ１０１）の両端をツェナーダイオードと並列接続し、或いはツェナーダイオードをまず少なくとも一個のダイオードと直列接続し、ツェナー電圧効果を生じさせてから、再び前記発光ダイオード（ＬＥＤ１０１）の両端と並列に接続し、
ＬＥＤ一方向性駆動回路（Ｕ１００）において、前記一方向性導電発光ダイオードセット（Ｌ１００）を構成する前記発光ダイオード（ＬＥＤ１０１）の両端を前記ツェナーダイオード（ＺＤ１０１）と並列接続し、その極性関係は前記ツェナーダイオード（ＺＤ１０１）のツェナー電圧によって、前記発光ダイオード（ＬＥＤ１０１）の両端の工作電圧を制限し、
或いは、ＬＥＤ一方向性駆動回路（Ｕ１００）において、前記一方向性導電発光ダイオードセット（Ｌ１００）を構成する前記発光ダイオード（ＬＥＤ１０１）の両端に、前記ツェナーダイオード（ＺＤ１０１）を並列接続し、前記ツェナーダイオード（ＺＤ１０１）は必要に応じてダイオード（ＣＲ２０１）とツェナーダイオード（ＺＤ１０１）とを直列接続する加設を選択し、共同してツェナー電圧効果の機能を形成することにより、ツェナーダイオード（ＺＤ１０１）を保護し、不正常な逆方向電流を防ぎ、また、ダイオード（ＣＲ２０１）とツェナーダイオード（ＺＤ１０１）の二者は、温度補償効果を持っていることを特徴とする請求項１に記載の二方向性電気エネルギーインピーダンス分圧によるＬＥＤ一方向性駆動回路。
【請求項７】
ＬＥＤ一方向性駆動回路（Ｕ１００）において、更に前記発光ダイオード（ＬＥＤ１０１）に充放電可能装置（ＥＳＤ１０１）を設置し、前記充放電可能装置（ＥＳＤ１０１）はアットランダムに充電或いは電気エネルギーを釈放することによって、前記発光ダイオード（ＬＥＤ１０１）の発光安定度を安定させ、明度の脈動を減少させ、或いは断電時、前記充放電可能装置（ＥＳＤ１０１）より貯蔵した電気エネルギーを出力することより、前記充放電可能装置（ＥＳＤ１０１）を駆動し、持続発光させ、
更に前記一方向性導電発光ダイオードセット（Ｌ１００）を前記充放電可能装置（ＥＳＤ１０１）と接続し、前記発光ダイオード（ＬＥＤ１０１）と前記限流抵抗（Ｒ１０３）とを直列接続後の両端、或いは直接前記発光ダイオード（ＬＥＤ１０１）の両端に、極性に従って前記充放電可能装置（ＥＳＤ１０１）を並列接続し、前記充放電可能装置（ＥＳＤ１０１）はアットランダムに充電或いは電気エネルギーを放出することによって、前記発光ダイオード（ＬＥＤ１０１）の発光安定度を安定させ、断電時、充放電可能装置（ＥＳＤ１０１）より貯蔵した電気エネルギーを出力することより、発光ダイオード（ＬＥＤ１０１）を駆動して持続発光させ、
前記充放電可能装置（ＥＳＤ１０１）は、各種のよく使われる充放電可能な電池、超コンデンサまたはコンデンサによって構成されることを特徴とする請求項１に記載の二方向性電気エネルギーインピーダンス分圧によるＬＥＤ一方向性駆動回路。
【請求項８】
ＬＥＤ一方向性駆動回路（Ｕ１００）において、一セットの前記一方向性導電発光ダイオードセット（Ｌ１００）を選択設置し、或いは一セット以上の前記一方向性導電発光ダイオードセット（Ｌ１００）を選択設置し、直列、並列または直並列に接続することが可能であり、
前記一方向性導電発光ダイオードセットＬ１００は、一セット或いは一セット以上を選択設置した場合、対応する前記整流装置（ＢＲ１０１）を介して、共同して同一の前記第二インピーダンス（Ｚ１０２）の分圧電気エネルギーによって駆動され、或いは、多セットの直列或いは並列に接続する前記第二インピーダンス（Ｚ１０２）の分圧電気エネルギーにより個別に駆動され、多セットの個々の前記第二インピーダンス（Ｚ１０２）は、それぞれ前記整流装置（ＢＲ１０１）とともに設置され、それぞれ対応する前記一方向性導電発光ダイオードセット（Ｌ１００）を駆動することを特徴とする請求項１に記載の二方向性電気エネルギーインピーダンス分圧によるＬＥＤ一方向性駆動回路。
【請求項９】
ＬＥＤ一方向性駆動回路（Ｕ１００）の中に充放電可能装置（ＥＳＤ１０１）を設けた場合、前記一方向性導電発光ダイオードセット（Ｌ１００）の中の前記発光ダイオード（ＬＥＤ１０１）を駆動し、連続直流によって通電発光することを特徴とする請求項１に記載の二方向性電気エネルギーインピーダンス分圧によるＬＥＤ一方向性駆動回路。
【請求項１０】
充放電装置（ＥＳＤ１０１）を設置しない場合、前記発光ダイオード（ＬＥＤ１０１）は断続導電となり、前記発光ダイオード（ＬＥＤ１０１）は入力電圧波形及び導電と断電時間の割合に従って、また通電発光時の順電流値を相対選定し、かつ前記一方向性導電性発光ダイオードセット（Ｌ１００）の各前記発光ダイオード（ＬＥＤ１０１）の通電発光時の順電圧ピーク値の構成を相対選択するによって、回路中の前記発光ダイオード（ＬＥＤ１０１）は断続導電の駆動状態である場合、導電と断電時間の割合によって、定格順電圧より高い値を通電発光の順電圧ピーク値として選定し、ただし原則として、通電発光の順電圧ピーク値は前記発光ダイオード（ＬＥＤ１０１）にダメージを与えてはならないことを特徴とする請求項１に記載の二方向性電気エネルギーインピーダンス分圧によるＬＥＤ一方向性駆動回路。
【請求項１１】
充放電装置（ＥＳＤ１０１）を設置しない場合、通電発光の順電圧の高低及び波形は、通電発光の順電圧が通電発光の順電流に対する割合の電流大小及び電流波形を形成し、ただし原則として、通電発光の順電圧ピーク値は前記発光ダイオード（ＬＥＤ１０１）にダメージを与えてはならないことを特徴とする請求項１に記載の二方向性電気エネルギーインピーダンス分圧によるＬＥＤ一方向性駆動回路。
【請求項１２】
ＬＥＤ一方向性駆動回路（Ｕ１００）を応用するとき、各種形態の二方向性電気エネルギーの入力が可能であって、二方向性電気エネルギーは、固定或いは可変電圧及び固定或いは可変周波数の交流電気エネルギー、或いは、直流電源を転換した固定或いは可変電圧及び固定或いは可変周波数或いは周期の二方向性正弦波電圧、二方向性方波電圧、或いは二方向性脈動波形の電圧の交流電気エネルギー、或いは、交流電気エネルギーを整流した直流電気エネルギーを再転換した固定或いは可変電圧及び固定或いは可変周波数或いは周期の二方向性正弦波電圧、二方向性方波電圧、或いは二方向性脈動波形の電圧の交流電気エネルギーであることを特徴とする請求項１に記載の二方向性電気エネルギーインピーダンス分圧によるＬＥＤ一方向性駆動回路。
【請求項１３】
直列電気エネルギーパワーコントローラーを直列接続することが可能であって、
前記直列式電気エネルギーパワーコントローラーは、直列式二方向性電気エネルギーパワーコントローラー（３００）と、直列式直流の電気エネルギーパワーコントローラー（３６０）とであって、
前記直列式二方向性電気エネルギーパワーコントローラー（３００）は、よく使われるメカトロニクスコンポネント或いは固体パワーコンポネント及び電子回路関連コンポネントによって構成され、二方向性電気エネルギーの出力パワーを制御し、
前記直列式直流の電気エネルギーパワーコントローラー（３６０）は、よく使われるメカトロニクスコンポネント或いは固体パワーコンポネント及び電子回路関連コンポネントによって構成され、安定電圧の直流の電気エネルギー或いは直流脈動の電気エネルギーの出力パワーを調整制御し、
回路の作動機能は、
前記直列式二方向性電気エネルギーパワーコントローラー（３００）を前記ＬＥＤ一方向性駆動回路（Ｕ１００）に直列接続し、二者を直列接続してから、電源からの二方向性電気エネルギーを入力し、前記直列式二方向性電気エネルギーパワーコントローラー（３００）を通して、電源からの二方向性電気エネルギーを調整制御し、またパルス幅変調を行い、或いは導電の位相角を制御し、或いはインピーダンスを調整制御する方式でパワーを調整制御することによって、前記ＬＥＤ一方向性駆動回路（Ｕ１００）を駆動し、
或いは、直列式二方向性電気エネルギーパワーコントローラー（３００）を前記第二インピーダンス（Ｚ１０２）と前記整流装置（ＢＲ１０１）交流入力端との間に直列接続し、前記直列式二方向性電気エネルギーパワーコントローラー（３００）を通して、前記第二インピーダンス（Ｚ１０２）の両端からの分圧の二方向性電気エネルギーを調整制御し、パルス幅変調、或いは導電の位相角を制御し、或いはインピーダンスを調整制御する方式でパワーを制御することによって、前記整流装置（ＢＲ１０１）を通して前記一方向性導電発光ダイオードセット（Ｌ１００）を駆動し、
或いは、前記直列式直流の電気エネルギーパワーコントローラー（３６０）を前記整流装置（ＢＲ１０１）の直流出力端と前記一方向性導電発光ダイオードセット（Ｌ１００）との間に直列接続し、前記直列式直流の電気エネルギーパワーコントローラー（３６０）を経て、前記整流装置（ＢＲ１０１）からの直流の電気エネルギーのパルス幅変調を行い、或いは導電の位相角を制御し、或いはインピーダンスを調整制御する方式でパワーを調整制御することによって、一方向性導電発光ダイオードセット（Ｌ１００）を駆動することを特徴とする請求項１に記載の二方向性電気エネルギーインピーダンス分圧によるＬＥＤ一方向性駆動回路。
【請求項１４】
並列式電気エネルギーパワーコントローラーと並列に接続することが可能であって、
前記並列式電気エネルギーパワーコントローラーは、並列式二方向性電気エネルギーパワーコントローラー（４００）と、並列式直流の電気エネルギーパワーコントローラー（４６０）とであって、
前記並列式二方向性電気エネルギーパワーコントローラー（４００）は、よく使われるメカトロニクスコンポネント或いは固体パワーコンポネント及び電子回路関連コンポネントによって構成され、二方向性電気エネルギーの出力パワーを制御し、
並列式直流の電気エネルギーパワーコントローラー（４６０）は、よく使われるメカトロニクスコンポネント或いは固体パワーコンポネント及び電子回路関連コンポネントによって構成され、安定電圧の直流の電気エネルギー或いは直流脈動の電気エネルギーの出力パワーを調整制御し、
回路の作動機能は、
前記並列式二方向性電気エネルギーパワーコントローラー（４００）の出力端に前記ＬＥＤ一方向性駆動回路（Ｕ１００）を並列接続し、かつ前記並列式二方向性電気エネルギーパワーコントローラー（４００）の入力端へ電源からの二方向性電気エネルギーを入力し、前記並列式二方向性電気エネルギーパワーコントローラー（４００）を通して、電源からの二方向性電気エネルギーを調整制御し、パルス幅変調を行い、或いは導電の位相角を制御し、或いはインピーダンスを調整制御する方式でパワーを調整制御することより、ＬＥＤ一方向性駆動回路（Ｕ１００）を駆動し、
或いは、前記並列式二方向性電気エネルギーパワーコントローラー（４００）の出力端は、前記整流装置（ＢＲ１０１）の二方向性電気エネルギーの入力端に並列接続し、前記並列式二方向性電気エネルギーパワーコントローラー（４００）の入力端は、前記第二インピーダンス（Ｚ１０２）の両端に並列接続し、前記並列式二方向性電気エネルギーパワーコントローラー（４００）を通して、前記第二インピーダンス（Ｚ１０２）の両端からの分圧の二方向性電気エネルギーを調整制御し、パルス幅変調を行い、或いは導電の位相角を制御し、或いはインピーダンスの調整制御する方式でパワーを調整制御することによって、前記整流装置（ＢＲ１０１）を経て前記一方向性導電発光ダイオードセット（Ｌ１００）を駆動し、
或いは、前記並列式直流の電気エネルギーパワーコントローラー（４６０）の出力端を前記一方向性導電発光ダイオードセット（Ｌ１００）と並列接続し、かつ前記並列式直流の電気エネルギーパワーコントローラー（４６０）の入力端を前記整流装置（ＢＲ１０１）の直流出力端と並列接続し、並列式直流の電気エネルギーパワーコントローラー（４６０）を通して、前記整流装置（ＢＲ１０１）からの直流の電気エネルギーを調整制御し、パルス幅変調を行い、或いは導電の位相角を制御し、或いはインピーダンスを調整制御する方式でパワーを調整制御することによって、一方向性導電発光ダイオードセット（Ｌ１００）を駆動することを特徴とする請求項１に記載の二方向性電気エネルギーインピーダンス分圧によるＬＥＤ一方向性駆動回路。
【請求項１５】
直列式電気エネルギーパワーコントローラーに直列接続してから、ＤＣ−ＡＣインバータより出力する電気エネルギーを受けてから駆動することが可能で、
前記ＤＣ−ＡＣインバータ（４０００）は、よく使われるメカトロニクス或いは固体パワーコンポネント及び電子回路関連コンポネントより構成され、入力端は必要に応じて選定する固定或いは可変電圧の直流の電気エネルギーを入力し、或いは交流電気エネルギーを整流後の直流電気エネルギーを入力し、出力端は必要に応じて選定する固定或いは可変電圧及び固定或いは可変交換極性周波数或いは周期の二方向性正弦波、二方向性方波、或いは二方向性脈動波の二方向性電気エネルギーを出力し、
前記直列式電気エネルギーパワーコントローラーは、直列式二方向性電気エネルギーパワーコントローラー（３００）と、直列式直流の電気エネルギーパワーコントローラー（３６０）とであって、
直列式二方向性電気エネルギーパワーコントローラー（３００）は、よく使われるメカトロニクスコンポネント或いは固体パワーコンポネント及び電子回路関連コンポネントによって構成され、二方向性電気エネルギーの出力パワーを制御し、
直列式直流の電気エネルギーパワーコントローラー（３６０）は、よく使われるメカトロニクスコンポネント或いは固体パワーコンポネント及び電子回路関連コンポネントによって構成され、安定電圧の直流の電気エネルギー或いは直流脈動の電気エネルギーの出力パワーを調整制御し、
回路の作動機能は、
前記直列式二方向性電気エネルギーパワーコントローラー（３００）を前記ＬＥＤ一方向性駆動回路（Ｕ１００）と直列接続し、二者を直列接続してから、前記ＤＣ−ＡＣインバータ（４０００）の出力端に並列接続し、前記ＤＣ−ＡＣインバータ（４０００）は、必要に応じて選定する固定或いは可変電圧及び固定或いは可変交換極性周波数或いは周期の二方向性正弦波、二方向性方波或いは二方向性脈動波の二方向性電気エネルギーを出力し、前記直列式二方向性電気エネルギーパワーコントローラー（３００）によって、前記ＤＣ−ＡＣインバータ（４０００）から出力する二方向性電気エネルギーを調整制御し、パルス幅変調、導電の位相角制御、或いはインピーダンスの調整制御の方式でパワーを制御することによって、前記ＬＥＤ一方向性駆動回路（Ｕ１００）を駆動し、
或いは、前記直列式二方向性電気エネルギーパワーコントローラー（３００）を前記第二インピーダンス（Ｚ１０２）と前記整流装置（ＢＲ１０１）の交流入力端との間に直列接続し、前記直列式二方向性電気エネルギーパワーコントローラー（３００）を経由して、前記第二インピーダンス（Ｚ１０２）の両端からの分圧の二方向性電気エネルギーを調整制御し、またパルス幅変調、導電の位相角制御、或いはインピーダンスの調整制御の方式でパワーを制御することによって、前記整流装置（ＢＲ１０１）を経て前記一方向性導電発光ダイオードセット（Ｌ１００）を駆動し、
或いは、前記直列式直流の電気エネルギーパワーコントローラー（３６０）を前記整流装置（ＢＲ１０１）の直流出力端と前記一方向性導電発光ダイオードセット（Ｌ１００）との間に直列接続し、前記直列式直流の電気エネルギーパワーコントローラー（３６０）を経て、前記整流装置（ＢＲ１０１）からの直流の電気エネルギーのパルス幅変調を行い、或いは導電の位相角を制御し、或いはインピーダンスの調整制御する方式でパワーを調整制御することによって、前記一方向性導電発光ダイオードセット（Ｌ１００）を駆動することを特徴とする請求項１に記載の二方向性電気エネルギーインピーダンス分圧によるＬＥＤ一方向性駆動回路。
【請求項１６】
並列式電気エネルギーパワーコントローラーに並列接続してから、ＤＣ−ＡＣインバータより出力する電気エネルギーを受けてから駆動することが可能であって、
前記ＤＣ−ＡＣインバータ４０００は、よく使われるメカトロニクス或いは固体パワーコンポネント及び電子回路関連コンポネントより構成され、入力端は必要に応じて選定する固定或いは可変電圧の直流の電気エネルギーを入力し、或いは交流電気エネルギーから整流後の直流電気エネルギーを入力し、出力端は必要に応じて選定する固定或いは可変電圧及び固定或いは可変交換極性周波数或いは周期の二方向性正弦波、二方向性方波、或いは二方向性脈動波の二方向性電気エネルギーを出力し、
前記並列式電気エネルギーパワーコントローラーは、並列式二方向性電気エネルギーパワーコントローラー（４００）と、並列式直流の電気エネルギーパワーコントローラー（４６０）とであって、
前記並列式二方向性電気エネルギーパワーコントローラー（４００）は、よく使われるメカトロニクスコンポネント或いは固体パワーコンポネント及び電子回路関連コンポネントによって構成され、二方向性電気エネルギーの出力パワーを制御し、
前記並列式直流の電気エネルギーパワーコントローラー（４６０）は、よく使われるメカトロニクスコンポネント或いは固体パワーコンポネント及び電子回路関連コンポネントによって構成され、安定電圧の直流の電気エネルギー或いは直流脈動の電気エネルギーの出力パワーを調整制御し、
回路の作動機能は、
前記並列式二方向性電気エネルギーパワーコントローラー（４００）の出力端を前記ＬＥＤ一方向性駆動回路（Ｕ１００）の入力端に並列接続し、かつ前記並列式二方向性電気エネルギーパワーコントローラー（４００）の入力端に前記ＤＣ‐ＡＣインバータ（４０００）より出力する二方向性電気エネルギーを入力してから、前記並列式二方向性電気エネルギーパワーイントローラー（４００）を通して、前記ＤＣ‐ＡＣインバータ（４０００）から出力する二方向性電気エネルギーを調整制御し、パルス幅変調、或いは導電の位相角を制御し、或いはインピーダンスの調整制御する方式でパワーを制御することによって、ＬＥＤ一方向性駆動回路（Ｕ１００）を駆動し、
或いは、前記並列式二方向性電気エネルギーパワーコントローラー（４００）の出力端を前記整流装置（ＢＲ１０１）の交流入力端に並列接続し、前記並列式二方向性電気エネルギーパワーコントローラー（４００）の入力端は、前記第二インピーダンス（Ｚ１０２）に並列接続し、前記並列式二方向性電気エネルギーパワーコントローラー（４００）を通して、前記第二インピーダンス（Ｚ１０２）の両端からの分圧の二方向性電気エネルギーを調整制御し、パルス幅変調を行い、或いは導電の位相角をコントロールし、或いはインピーダンスの調整制御する方式でパワーを調整制御することによって、前記整流装置（ＢＲ１０１）を経て前記一方向性導電発光ダイオードセット（Ｌ１００）を駆動し、
或いは、前記並列式直流の電気エネルギーパワーコントローラー（４６０）の出力端を前記一方向性導電発光ダイオードセット（Ｌ１００）と並列接続し、かつ前記並列式直流の電気エネルギーパワーコントローラー（４６０）の入力端を前記整流装置（ＢＲ１０１）の直流出力端と並列接続し、前記並列式直流の電気エネルギーパワーコントローラー（４６０）を通して、前記整流装置（ＢＲ１０１）からの直流の電気エネルギーを調整制御し、パルス幅変調を行い、或いは導電の位相角を制御し、或いはインピーダンスを調整制御する方式でパワーを調整制御することによって、前記一方向性導電発光ダイオードセット（Ｌ１００）を駆動することを特徴とする請求項１に記載の二方向性電気エネルギーインピーダンス分圧によるＬＥＤ一方向性駆動回路。
【請求項１７】
ＤＣ−ＡＣインバータより出力する電気エネルギーを受けてから駆動することが可能であって、
前記ＤＣ−ＡＣインバータ４０００は、よく使われるメカトロニクス或いは固体パワーコンポネント及び電子回路関連コンポネントより構成され、入力端は必要に応じて選定する固定或いは可変電圧の直流の電気エネルギーを入力し、或いは交流電気エネルギーからを整流後の直流電気エネルギーを入力し、出力端は必要に応じて選定する固定或いは可変電圧及び固定或いは可変交換極性周波数或いは周期の二方向性正弦波、二方向性方波、或いは二方向性脈動波の二方向性電気エネルギーを出力し、
回路の作動機能は、
前記ＬＥＤ一方向性駆動回路Ｕ１００をよく使われる前記ＤＣ−ＡＣインバータ（４０００）の出力端に並列接続し、ＤＣ−ＡＣインバータ（４０００）の入力端は、必要に応じて選定する固定或いは可変電圧直流電気エネルギーを入力し、或いは交流電気エネルギーからを整流後の直流電気エネルギーを入力し、
前記ＤＣ−ＡＣインバータ（４０００）の出力端から、必要に応じて選定する固定或いは可変電圧及び固定或いは可変交換極性周期の二方向性正弦波、二方向性方波或いは二方向性脈動波の電気エネルギーを出力することによって、前記ＬＥＤ一方向性駆動回路（Ｕ１００）を制御及び駆動し、
更に前記ＤＣ−ＡＣインバータ（４０００）の出力パワーの制御を通して、前記ＬＥＤ一方向性駆動回路（Ｕ１００）へ伝送し、或いは出力する電気エネルギーに対して、パルス幅変調或いは導電の位相角制御、或いはインピーダンスの調整制御の方式でパワーを制御することによって、前記ＬＥＤ一方向性駆動回路（Ｕ１００）の電気エネルギーパワーへの伝送を制御することを特徴とする請求項１に記載の二方向性電気エネルギーインピーダンス分圧によるＬＥＤ一方向性駆動回路。
【請求項１８】
前記ＬＥＤ一方向性駆動回路（Ｕ１００）を少なくとも一個のよく使うインピーダンスコンポネント（５００）と直列接続してから、電源と並列接続し、
インピーダンスコンポネント（５００）は、
キャパシティブインピーダンス特性を持つコンポネントよりを構成し、
或いは、誘導性インピーダンス特性を持つデバイスよりを構成し、
或いは、抵抗性インピーダンス特性を持つコンポネントよりを構成し、
或いは、単一インピーダンスコンポネントが同時にキャパシティブインピーダンス、誘導性インピーダンス或いは抵抗性インピーダンスの中で少なくとも二種の合成インピーダンス特性を持つコンポネントより構成されることによって、直流性質のインピーダンス或いは交流性質のインピーダンスを提供し、
或いは、単一インピーダンスコンポネントが誘導性インピーダンス及びキャパシティブインピーダンスの合成インピーダンス特性を持つコンポネントより構成され、固有共振周波数は、二方向性電気エネルギーからの周波数或いは周期と同じで、また並列共振状態になることが可能であり、
或いは、キャパシティブインピーダンスコンポネント、誘導性インピーダンスコンポネント或いは抵抗性インピーダンスコンポネントより構成され、その中の一種或いは一種以上を有し、かつ一個或いは一個以上のインピーダンスコンポネントより構成され、或いは二種或いは二種以上の直列、並列或いは直並列に接続するインピーダンスコンポネントより構成され、直流性質のインピーダンス或いは交流性質のインピーダンスを提供し、
或いは、キャパシティブインピーダンスコンポネントと誘導性インピーダンスコンポネントとが互いに直列に接続することより構成され、直列接続してからの固有直列共振周波数は、二方向性電気エネルギーからの周波数或いは周期と同じで、かつ直列共振状態を形成し、また相対的にキャパシティブインピーダンスコンポネント或いは誘導性インピーダンスコンポネントの両端に、直列共振を示す相対端の電圧を形成することが可能であり、或いはキャパシティブインピーダンスと誘導性インピーダンスを互いに並列接続し、並列接続後の固有並列共振周波数は、通過する二方向性或いは一方向性脈動の電気エネルギーの周波数或いは周期は同じで、かつ並列共振状態を形成し、さらに相対の端電圧を形成することが可能であることを特徴とする請求項１に記載の二方向性電気エネルギーインピーダンス分圧によるＬＥＤ一方向性駆動回路。
【請求項１９】
任意の前記第二インピーダンス（Ｚ１０２）の誘導性インピーダンスコンポネント（Ｉ２００）は、更に誘導効果を持つ変圧器の電源巻線に換えることが可能であって、
その中の単巻変圧器（ＳＴ２００）の昇圧機能を持つ単巻変圧巻線（Ｗ０）において、前記単巻変圧器（ＳＴ２００）の前記単巻変圧巻線（Ｗ０）のｂ、ｃ端を電源側とし、前記第二インピーダンス（Ｚ１０２）の中の前記誘導性インピーダンスコンポネント（Ｉ２００）を取り替えることによって、前記第二インピーダンス（Ｚ１０２）を構成し、前記第一インピーダンス（Ｚ１０１）の第一コンデンサー（Ｃ１００）と直列接続した固有直列共振周波数は、電源からの二方向性電気エネルギー、例えば交流電気エネルギーの周波数、或いは直流電気エネルギーから転換される固定或いは可変電圧及び固定或いは可変交換極性周期の電気エネルギーの交換極性周期と同じで、かつ直列共振状態を形成し、前記単巻変圧器（ＳＴ２００）の前記単巻変圧巻線（Ｗ０）のａ、ｃ出力端から昇圧交流の電気エネルギーを出力し、前記整流装置（ＢＲ１０１）の交流入力端へ出力し、かつ前記整流装置（ＢＲ１０１）の直流出力端によって、前記一方向性導電発光ダイオードセット（Ｌ１００）を駆動することを特徴とする請求項１に記載の二方向性電気エネルギーインピーダンス分圧によるＬＥＤ一方向性駆動回路。
【請求項２０】
任意の前記第二インピーダンス（Ｚ１０２）の誘導性インピーダンスコンポネント（Ｉ２００）は、更に誘導効果を持つ変圧器の電源巻線に換えることが可能であって、
その中の単巻変圧器（ＳＴ２００）の降圧機能を持つ単巻変圧巻線（Ｗ０）において、前記単巻変圧器（ＳＴ２００）の前記単巻変圧巻線（Ｗ０）のａ、ｃ端を電源側とし、前記第二インピーダンス（Ｚ１０２）の中の前記誘導性インピーダンスコンポネント（Ｉ２００）を取り替えることによって、前記第二インピーダンス（Ｚ１０２）を構成し、前記第一インピーダンス（Ｚ１０１）の第一コンデンサー（Ｃ１００）と直列接続した固有直列共振周波数は、電源からの二方向性電気エネルギー、例えば交流電気エネルギーの周波数、或いは直流電気エネルギーから転換される固定或いは可変電圧及び固定或いは可変交換極性周期の電気エネルギーの交換極性周期と同じで、かつ直列共振状態を形成し、前記単巻変圧器（ＳＴ２００）の前記単巻変圧巻線（Ｗ０）のｂ、ｃ出力端から降圧交流の電気エネルギーを出力し、前記整流装置（ＢＲ１０１）の交流入力端へ出力し、かつ前記整流装置（ＢＲ１０１）の直流出力端によって、前記一方向性導電発光ダイオードセット（Ｌ１００）を駆動することを特徴とする請求項１に記載の二方向性電気エネルギーインピーダンス分圧によるＬＥＤ一方向性駆動回路。
【請求項２１】
任意の前記第二インピーダンス（Ｚ１０２）の誘導性インピーダンスコンポネント（Ｉ２００）は、更に誘導効果を持つ変圧器の電源巻線に換えることが可能であって、
その中の分離式変圧器（ＩＴ２００）は、一次巻線（Ｗ１）及び二次巻線（Ｗ２）によって構成され、前記一次巻線（Ｗ１）と前記二次巻線（Ｗ２）との二者が分離され、前記一次巻線（Ｗ１）によって前記第二インピーダンス（Ｚ１０２）を構成し、前記第一インピーダンス（Ｚ１０１）の第一コンデンサー（Ｃ１００）と直列接続した固有直列共振周波数は、電源からの二方向性電気エネルギー、例えば交流電気エネルギーの周波数、或いは直流電気エネルギーによって転換される固定或いは可変電圧及び固定或いは可変交換極性周期の電気エネルギーの交換極性周期と同じで、かつ直列共振状態を形成し、前記分離式変圧器（ＩＴ２００）の前記二次巻線（Ｗ２）の出力電圧は、必要に応じて昇圧或いは降圧の選択が可能で、二次巻線出力の交流電気エネルギーは、前記整流装置（ＢＲ１０１）の交流入力端へ出力し、前記整流装置（ＢＲ１０１）の直流出力端は、前記一方向性導電発光ダイオードセット（Ｌ１００）へ出力し、
上述を通して、変圧器の電源巻線によって前記第二インピーダンス（Ｚ１０２）の中の前記誘導性インピーダンスコンポネント（Ｉ２００）を取換え、かつ前記分離式変圧器（ＩＴ２００）の二次側昇圧出力の交流電圧或いは降圧出力の交流の電気エネルギーを前記整流装置（ＢＲ１０１）の交流入力端へ伝送してから、前記整流装置（ＢＲ１０１）の出力端から直流電気エネルギーを出力することによって、前記一方向性導電発光ダイオードセット（Ｌ１００）を駆動することを特徴とする請求項１に記載の二方向性電気エネルギーインピーダンス分圧によるＬＥＤ一方向性駆動回路。
【請求項２２】
任意の前記第二インピーダンス（Ｚ１０２）の誘導性インピーダンスコンポネント（Ｉ２００）は、更に誘導効果を持つ変圧器の電源巻線に換えることが可能であって、
その中の単巻変圧器（ＳＴ２００）の昇圧機能を持つ単巻変圧巻線（Ｗ０）において、前記単巻変圧器（ＳＴ２００）の前記単巻変圧巻線（Ｗ０）のｂ、ｃ端を電源側とし、前記第二インピーダンス（Ｚ１０２）の中の前記誘導性インピーダンスコンポネント（Ｉ２００）を取り替えることによって、第三コンデンサー（Ｃ２００）と並列に接続し、並列接続後の固有並列共振周波数は、電源からの二方向性電気エネルギー、例えば交流電気エネルギーの周波数、或いは直流電気エネルギーによって転換される固定或いは可変電圧及び固定或いは可変交換極性周期の電気エネルギーの交換極性周期と同じで、かつ並列共振状態を形成することによって、前記第二インピーダンス（Ｚ１０２）を構成し、前記第一インピーダンス（Ｚ１０１）を構成する第一コンデンサー（Ｃ１００）と直列に接続し、
前記第三コンデンサー（Ｃ２００）は前記単巻変圧器（ＳＴ２００）のタップのａ、ｃ間或いはｂ、ｃ間或いは必要に応じてほかのタップ間での並列接続の選択が可能で、前記単巻変圧器（ＳＴ２００）の前記単巻変圧巻線（Ｗ０）のａ、ｃ出力端から昇圧交流の電気エネルギーを出力し、前記整流装置（ＢＲ１０１）の交流入力端へ出力し、かつ前記整流装置（ＢＲ１０１）の直流出力端によって、前記一方向性導電発光ダイオードセット（Ｌ１００）を駆動することを特徴とする請求項１に記載の二方向性電気エネルギーインピーダンス分圧によるＬＥＤ一方向性駆動回路。
【請求項２３】
任意の前記第二インピーダンス（Ｚ１０２）の誘導性インピーダンスコンポネント（Ｉ２００）は、更に誘導効果を持つ変圧器の電源巻線に換えることが可能であって、
その中の単巻変圧器（ＳＴ２００）の降圧機能を持つ単巻変圧巻線（Ｗ０）において、前記単巻変圧器（ＳＴ２００）の前記単巻変圧巻線（Ｗ０）のａ、ｃ端を電源側とし、前記第二インピーダンス（Ｚ１０２）の中の前記誘導性インピーダンスコンポネント（Ｉ２００）を取り替えることによって、第三コンデンサー（Ｃ２００）と並列に接続し、並列接続後の固有並列共振周波数は、電源からの二方向性電気エネルギー、例えば交流電気エネルギーの周波数、或いは直流電気エネルギーによって転換される固定或いは可変電圧及び固定或いは可変交換極性周期の電気エネルギーの交換極性周期と同じで、かつ並列共振状態を形成することによって、前記第二インピーダンス（Ｚ１０２）を構成し、前記第一インピーダンス（Ｚ１０１）を構成する第一コンデンサー（Ｃ１００）と直列に接続し、
前記第三コンデンサー（Ｃ２００）は前記単巻変圧器（ＳＴ２００）のタップのａ、ｃ間或いはｂ、ｃ間或いは必要に応じてほかのタップ間での並列接続の選択が可能で、前記単巻変圧器（ＳＴ２００）の前記単巻変圧巻線（Ｗ０）のｂ、ｃ出力端から降圧交流の電気エネルギーを出力し、前記整流装置（ＢＲ１０１）の交流入力端へ出力し、かつ前記整流装置（ＢＲ１０１）の直流出力端によって、前記一方向性導電発光ダイオードセット（Ｌ１００）を駆動することを特徴とする請求項１に記載の二方向性電気エネルギーインピーダンス分圧によるＬＥＤ一方向性駆動回路。
【請求項２４】
任意の前記第二インピーダンス（Ｚ１０２）の誘導性インピーダンスコンポネント（Ｉ２００）は、更に誘導効果を持つ変圧器の電源巻線に換えることが可能であって、
その中の分離式変圧器（ＩＴ２００）は、一次巻線（Ｗ１）及び二次巻線（Ｗ２）によって構成され、前記一次巻線（Ｗ１）と前記二次巻線（Ｗ２）との二者が分離され、
前記一次巻線（Ｗ１）は第三コンデンサー（Ｃ２００）と並列に接続し、並列接続後の固有並列共振周波数は、電源からの二方向性電気エネルギー、例えば交流電気エネルギーの周波数、或いは直流電気エネルギーによって転換される固定或いは可変電圧及び固定或いは可変交換極性周期の電気エネルギーの交換極性周期と同じで、かつ並列共振状態を形成することによって、前記第二インピーダンス（Ｚ１０２）を構成してから、前記第一インピーダンス（Ｚ１０１）を構成する第一コンデンサー（Ｃ１００）と直列に接続し、
前記第三コンデンサー（Ｃ２００）は前記単巻変圧器（ＳＴ２００）のタップのａ、ｃ間或いはｂ、ｃ間或いは必要に応じてほかのタップ間での並列接続の選択が可能であり、
前記分離式変圧器（ＩＴ２００）の前記二次巻線（Ｗ２）の出力電圧は、必要に応じて昇圧或いは降圧の選択が可能で、二次巻線出力の交流電気エネルギーは、前記整流装置（ＢＲ１０１）の交流入力端へ出力し、前記整流装置（ＢＲ１０１）の直流出力端は、一方向性導電発光ダイオードセット（Ｌ１００）へ出力し、
前記変圧器の電源巻線によって前記第二インピーダンス（Ｚ１０２）中の前記誘導性インピーダンスコンポネント（Ｉ２００）を取り替え、前記第三コンデンサー（Ｃ２００）と並列に接続する並列共振を通して、前記第二インピーダンス（Ｚ１０２）を構成し、また前記分離式変圧器（ＩＴ２００）の二次側昇圧出力する交流電圧或いは降圧出力する交流の電気エネルギーは、前記整流装置（ＢＲ１０１）の交流入力端へ出力してから、前記整流装置（ＢＲ１０１）の出力端から直流の電気エネルギーを出力することによって、一方向性導電発光ダイオードセット（Ｌ１００）を駆動することを特徴とする請求項１に記載の二方向性電気エネルギーインピーダンス分圧によるＬＥＤ一方向性駆動回路。
【発明の詳細な説明】
【技術分野】
【０００１】
本発明は、二方向性電気エネルギーインピーダンス分圧によるＬＥＤ一方向性駆動回路に関し、特に、一種の交流電気エネルギー或いは周期交換極性を持つ電気エネルギーが、互いに直列接続する抵抗性インピーダンスコンポネント、誘導性インピーダンスコンポネント或いはキャパシティブインピーダンスコンポネントへ伝送する電源に用いられ、その電源電圧を分圧され、かつ整流装置によって分圧の電気エネルギーを一方向性直流に整流してから、一方向性導電の発光ダイオードを駆動し、或いは少なくとも二個別々に第一インピーダンス及び第二インピーダンスの両端に並列接続する整流装置を駆動し、整流装置によって別々に第一インピーダンス及び第二インピーダンスの交流電気エネルギーを直流に整流して出力してから、更に個別の一方向性導電発光ダイオードを駆動するものに関する。
【背景技術】
【０００２】
従来の交流の電気エネルギー或いは直流の電気エネルギーをＬＥＤ駆動回路の電源とするとき、ＬＥＤ電流を制限するために、通常は限流抵抗を直列接続してインピーダンスとし、直列抵抗性インピーダンスの電圧が下がると、電気エネルギーを損失し、蓄熱するという欠点がある。
【発明の概要】
【発明が解決しようとする課題】
【０００３】
本発明の二方向性電気エネルギーインピーダンス分圧によるＬＥＤ一方向性駆動回路を高周波の二方向性電気エネルギーの電源へ応用すると、小型化、軽量化、コスト削減が可能である。
【課題を解決するための手段】
【０００４】
本発明は、キャパシティブインピーダンスコンポネント、誘導性インピーダンスコンポネント或いは抵抗性インピーダンスコンポネントによって、第一インピーダンスを構成し、キャパシティブインピーダンスコンポネント、誘導性インピーダンスコンポネント或いは抵抗性インピーダンスコンポネントによって、第二インピーダンスを構成し、第一インピーダンスと第二インピーダンスとを直列接続したその両端は、以下のいずれかが入力される。
【０００５】
（１）固定或いは可変電圧及び固定或いは可変周波数の交流電気エネルギー。
（２）直流電源から転換される固定或いは可変電圧及び固定或いは可変周波数或いは周期の二方向性正弦波電圧、二方向性方波電圧、或いは二方向性脈動波形の電圧の交流電気エネルギー。
（３）交流電気エネルギーを整流した直流電気エネルギーを再転換した固定或いは可変電圧及び固定或いは可変周波数或いは周期の二方向性正弦波電圧、二方向性方波電圧、或いは二方向性脈動波形の電圧の交流電気エネルギー。
直列接続する第一インピーダンス及び第二インピーダンスを通して、入力する電源電圧を分圧し、分圧の電気エネルギーを整流装置へ伝送し、かつ発光ダイオードによって一方向性導電発光ダイオードセットを構成し、整流装置の直流出力端に並列接続し、整流装置から出力する直流電気エネルギーによって駆動かつ発光する。
【図面の簡単な説明】
【０００６】
【図１】本発明の実施形態による二方向性電気エネルギーインピーダンス分圧によるＬＥＤ一方向性駆動回路を示すブロック図である。
【図２】本発明の第１実施形態による二方向性電気エネルギーインピーダンス分圧によるＬＥＤ一方向性駆動回路の回路例を示す模式図である。
【図３】本発明の第２実施形態による二方向性電気エネルギーインピーダンス分圧によるＬＥＤ一方向性駆動回路の回路例を示す模式図である。
【図４】本発明の第３実施形態による二方向性電気エネルギーインピーダンス分圧によるＬＥＤ一方向性駆動回路の回路例を示す模式図である。
【図５】本発明の第３実施形態による二方向性電気エネルギーインピーダンス分圧によるＬＥＤ一方向性駆動回路の他の回路例を示す模式図である。
【図６】本発明の第４実施形態による二方向性電気エネルギーインピーダンス分圧によるＬＥＤ一方向性駆動回路において能動制御回路装置を接続した回路例を示すブロック図である。
【図７】本発明の第５実施形態による二方向性電気エネルギーインピーダンス分圧によるＬＥＤ一方向性駆動回路において能動制御回路装置を接続した回路例を示すブロック図である。
【図８】本発明の第６実施形態による二方向性電気エネルギーインピーダンス分圧によるＬＥＤ一方向性駆動回路において能動制御回路装置を接続した回路例を示すブロック図である。
【図９】本発明の第７実施形態による二方向性電気エネルギーインピーダンス分圧によるＬＥＤ一方向性駆動回路において能動制御回路装置を接続した回路例を示すブロック図である。
【図１０】本発明の第８実施形態による二方向性電気エネルギーインピーダンス分圧によるＬＥＤ一方向性駆動回路において能動制御回路装置を接続した回路例を示すブロック図である。
【図１１】本発明の第９実施形態による二方向性電気エネルギーインピーダンス分圧によるＬＥＤ一方向性駆動回路において能動制御回路装置を接続した回路例を示すブロック図である。
【図１２】本発明の第９実施形態による二方向性電気エネルギーインピーダンス分圧によるＬＥＤ一方向性駆動回路において能動制御回路装置を接続した他の回路例を示すブロック図である。
【図１３】本発明の第１０実施形態による二方向性電気エネルギーインピーダンス分圧によるＬＥＤ一方向性駆動回路の昇圧回路例を示すブロック図である。
【図１４】本発明の第１０実施形態による二方向性電気エネルギーインピーダンス分圧によるＬＥＤ一方向性駆動回路の降圧回路例を示すブロック図である。
【図１５】本発明の第１０実施形態による二方向性電気エネルギーインピーダンス分圧によるＬＥＤ一方向性駆動回路の他の回路例を示すブロック図である。
【図１６】本発明の第１１実施形態による二方向性電気エネルギーインピーダンス分圧によるＬＥＤ一方向性駆動回路の昇圧回路例を示すブロック図である。
【図１７】本発明の第１１実施形態による二方向性電気エネルギーインピーダンス分圧によるＬＥＤ一方向性駆動回路の降圧回路例を示すブロック図である。
【図１８】本発明の第１０実施形態による二方向性電気エネルギーインピーダンス分圧によるＬＥＤ一方向性駆動回路の他の回路例を示すブロック図である。
【発明を実施するための形態】
【０００７】
本発明の実施形態による二方向性電気エネルギーインピーダンス分圧によるＬＥＤ一方向性駆動回路は、少なくとも一個のキャパシティブインピーダンスコンポネント、誘導性インピーダンスコンポネント或いは抵抗性インピーダンスコンポネントによって第一インピーダンスを構成し、かつ少なくとも一個のキャパシティブインピーダンスコンポネント、誘導性インピーダンスコンポネント或いは抵抗性インピーダンスコンポネントによって第二インピーダンスを構成し、第一インピーダンスコンポネントと第二インピーダンスコンポネントとを直列接続し、かつ少なくとも一個の整流装置を設け、整流装置の交流入力端へ第一インピーダンス或いは第二インピーダンスの両端の分圧の電気エネルギーを入力する。さらに、少なくとも一個の一方向性導電の発光ダイオードセットを設け、整流装置から出力する直流電気エネルギーによって駆動される。
【０００８】
第一インピーダンスと第二インピーダンスとを直列接続したその両端は以下のいずれかが入力される。
（１）固定或いは可変電圧及び固定或いは可変周波数の交流電気エネルギー。
（２）直流電源から転換した固定或いは可変電圧及び固定或いは可変周波数或いは周期の二方向性正弦波電圧、二方向性方波電圧、或いは二方向性脈動波形の電圧の交流電気エネルギー。
（３）交流電気エネルギーを整流した直流電気エネルギーを再転換した固定或いは可変電圧及び固定或いは可変周波数或いは周期の二方向性正弦波電圧、二方向性方波電圧、或いは二方向性脈動波形の電圧の交流電気エネルギー。
【０００９】
第一インピーダンス或いは第二インピーダンスの分圧の電気エネルギーを、整流装置によって直流電気エネルギーに整流してから、少なくとも一個の一方向性導電発光ダイオードを駆動し、或いは少なくとも二個の別々に並列接続する第一インピーダンス及び第二インピーダンスの両端にある整流装置を駆動し、整流装置によって、別々に第一インピーダンス及び第二インピーダンスの交流電気エネルギーを直流に整流して出力し、更に個別の一方向性導電発光ダイオードを駆動する。
【００１０】
図１は、本発明の実施形態による二方向性電気エネルギーインピーダンス分圧によるＬＥＤ一方向性駆動回路を示すブロック図である。図１に示すように、ＬＥＤ一方向性駆動回路Ｕ１００は、関連回路機能を制御する。ＬＥＤ一方向性駆動回路Ｕ１００の構成は、第一インピーダンスＺ１０１、第二インピーダンスＺ１０２、整流装置ＢＲ１０１及び一方向性導電発光ダイオードセットＬ１００を備える。
【００１１】
第一インピーダンスＺ１０１は、以下のいずれかを満たす。
（１）第一インピーダンスＺ１０１は、必要に応じてキャパシティブインピーダンスコンポネント、誘導性インピーダンスコンポネント或いは抵抗性インピーダンスコンポネントの中の一種或いは一種以上及び一個或いは一個以上のインピーダンスコンポネントによって構成され、或いは必要に応じて二種或いは二種以上のインピーダンスコンポネントによって構成される。かつ各種インピーダンスコンポネントは別々に一個或いは一個以上で、直列、並列または直並列接続によって構成される。
【００１２】
（２）第一インピーダンスＺ１０１は、少なくとも一個のキャパシティブインピーダンスコンポネントと少なくとも一個の誘導性インピーダンスコンポネントとを互いに直列接続し、その固有直列共振（ｓｅｒｉｅｓ  ｒｅｓｏｎａｎｃｅ）周波数は、電源からの二方向電気エネルギー、例えば交流電気エネルギーの周波数、或いは直流電気エネルギーから転換される固定或いは可変交換極性周期の電気エネルギーの交換極性周期と同じで、かつ直列共振状態を形成する。
【００１３】
（３）第一インピーダンスＺ１０１は、少なくとも一個のキャパシティブインピーダンスコンポネントと少なくとも一個の誘導性インピーダンスコンポネントとを互いに並列接続し、その固有並列共振（ｐａｒａｌｌｅｌ  ｒｅｓｏｎａｎｃｅ）周波数は、電源からの二方向電気エネルギー、例えば交流電気エネルギーの周波数、或いは直流電気エネルギーから転換される固定或いは可変交換極性周期の電気エネルギーの交換極性周期と同じで、かつ並列共振状態を形成する。
【００１４】
第二インピーダンスＺ１０２は、以下のいずれかを満たす。
（１）第二インピーダンスＺ１０２は、必要に応じてキャパシティブインピーダンスコンポネント、誘導性インピーダンスコンポネント或いは抵抗性インピーダンスコンポネントの中の一種或いは一種以上及び一個或いは一個以上のインピーダンスコンポネントによって構成され、或いは必要に応じて二種或いは二種以上のインピーダンスコンポネントによって構成される。かつ各種インピーダンスコンポネントは一個或いは一個以上で、直列、並列または直並列接続によって構成される。
【００１５】
（２）第二インピーダンスＺ１０２は、少なくとも一個のキャパシティブインピーダンスコンポネントと少なくとも一個の誘導性インピーダンスコンポネントとを互いに直列接続し、その固有直列共振周波数は、電源からの二方向電気エネルギー、例えば交流電気エネルギーの周波数、或いは直流電気エネルギーから転換される固定或いは可変交換極性周期の電気エネルギーの交換極性周期と同じで、かつ直列共振状態を形成する。
【００１６】
（３）第二インピーダンスＺ１０２は、少なくとも一個のキャパシティブインピーダンスコンポネントと少なくとも一個の誘導性インピーダンスコンポネントとを互いに並列接続し、その固有並列共振周波数は、電源からの二方向電気エネルギー、例えば交流電気エネルギーの周波数、或いは直流電気エネルギーから転換される固定或いは可変交換極性周期の電気エネルギーの交換極性周期と同じで、かつ並列共振状態を形成する。
【００１７】
また、少なくとも一個の第一インピーダンスＺ１０１と少なくとも一個の第二インピーダンスＺ１０２とを互いに直列接続し、第一インピーダンスＺ１０１と第二インピーダンスＺ１０２とを互いに直列接続したその両端は以下のいずれかが入力される。
（１）固定或いは可変電圧及び固定或いは可変周波数の交流電気エネルギー。
（２）直流電源から転換される固定或いは可変電圧及び固定或いは可変周波数或いは周期の二方向性正弦波電圧、二方向性方波電圧、或いは二方向性脈動波形の電圧の交流電気エネルギー。
（３）交流電気エネルギーを整流した直流電気エネルギーを再転換した固定或いは可変電圧及び固定或いは可変周波数或いは周期の二方向性正弦波電圧、二方向性方波電圧、或いは二方向性脈動波形の電圧の交流電気エネルギー。
【００１８】
またさらに、入力する電気エネルギーが第一インピーダンスＺ１０１の両端及び第二インピーダンスＺ１０２の両端に形成する分圧の電気エネルギーを通して、分圧の電気エネルギーを整流装置ＢＲ１０１の交流入力端へ伝送する。
整流装置ＢＲ１０１は、第一インピーダンスＺ１０１或いは第二インピーダンスＺ１０２の両端に並列接続し、或いは第一インピーダンスＺ１０１及び第二インピーダンスＺ１０２のそれぞれの両端に並列接続することによって、第一インピーダンスＺ１０１或いは第二インピーダンスＺ１０２の両端に分圧された電気エネルギーを直流の電気エネルギーに整流し、一方向性導電発光ダイオードセットＬ１００を駆動する。
【００１９】
整流装置ＢＲ１０１は、ブリッジ整流器或いは半波整流器より構成することが可能であり、整流装置ＢＲ１０１の数量は、一個或いは一個以上である。
一方向性導電発光ダイオードセットＬ１００は、一個の発光ダイオード順発光電流極性検出器より構成し、或いは二個或いは二個以上の発光ダイオード順発光電流極性検出器を直列或いは並列接続して構成し、或いは三個或いは三個以上の発光ダイオード順発光電流極性検出器を直列、並列または直並列接続にして構成する。
【００２０】
一方向性導電発光ダイオードセットＬ１００は、必要に応じて一セット或いは一セット以上の選択設置が可能で、整流装置ＢＲ１０１出力の直流の電気エネルギーによって駆動する。
ＬＥＤ一方向性駆動回路Ｕ１００の中の第一インピーダンスＺ１０１、第二インピーダンスＺ１０２、一方向性導電発光ダイオードセットＬ１００及び整流装置ＢＲ１０１は、必要に応じて一個或いは一個以上の選択が可能である。
【００２１】
第一インピーダンスＺ１０１或いは第二インピーダンスＺ１０２の分圧の電気エネルギーは、整流装置ＢＲ１０１によって直流電気エネルギーに整流してから、少なくとも一個の一方向性導電発光ダイオードを駆動する。或いは、二個別々に第一インピーダンスＺ１０１及び第二インピーダンスＺ１０２の両端にそれぞれ並列接続する２個の整流装置ＢＲ１０１を駆動し、整流装置ＢＲ１０１によって、別々に第一インピーダンスＺ１０１及び第二インピーダンスＺ１０２の交流電気エネルギーを直流に整流して出力し、更に個別の一方向性導電発光ダイオードを駆動する。
【００２２】
（第１実施形態）
以下、本発明の第１実施形態による二方向性電気エネルギーインピーダンス分圧によるＬＥＤ一方向性駆動回路において、その回路例のコンポネントの選択を以下の通りである。
（１）一個の第一インピーダンスＺ１０１、一個の第二インピーダンスＺ１０２、一個の整流装置ＢＲ１０１及び一個の一方向性導電発光ダイオードセットＬ１００によって構成され、実際に応用するとき、関連装置の選択数量を制限するものではない。
【００２３】
（２）コンデンサーのキャパシティブインピーダンスをインピーダンスコンポネントの代表とし、本実施形態においては、第一インピーダンスＺ１０１及び第二インピーダンスＺ１０２を構成する。実際に応用するとき、必要に応じて各種のキャパシティブインピーダンスコンポネント、誘導性インピーダンスコンポネント或いは抵抗性インピーダンスコンポネントの選択使用が可能で、以下に詳しく説明する。
【００２４】
図２は、本発明の第１実施形態による二方向性電気エネルギーインピーダンス分圧によるＬＥＤ一方向性駆動回路の回路例を示す模式図であって、第一インピーダンスＺ１０１、第二インピーダンスＺ１０２、整流装置ＢＲ１０１、一方向性導電発光ダイオードセットＬ１００、放電抵抗Ｒ１０１、放電抵抗Ｒ１０２及び限流抵抗Ｒ１０３を備える。
第一インピーダンスＺ１０１は、少なくとも一個のキャパシティブインピーダンスによって構成され、特にコンデンサーＣ１００によって構成される。第一インピーダンスＺ１０１の数量は、一個或いは一個以上である。
第二インピーダンスＺ１０２は、少なくとも一個のキャパシティブインピーダンスによって構成され、特にコンデンサーＣ１０２によって構成される。第二インピーダンスＺ１０２の数量は、一個或いは一個以上である。
【００２５】
少なくとも一個の第一インピーダンスＺ１０１と少なくとも一個の第二インピーダンスＺ１０２を直列接続し、二者を直列接続したその両端は、以下のいずれかが入力される。
（１）固定或いは可変電圧及び固定或いは可変周波数の交流電気エネルギー。
（２）直流電源から転換される固定或いは可変電圧及び固定或いは可変周波数或いは周期の二方向性正弦波電圧、二方向性方波電圧、或いは二方向性脈動波形の電圧の交流電気エネルギー。
（３）交流電気エネルギーを整流した直流電気エネルギーを再転換した固定或いは可変電圧及び固定或いは可変周波数或いは周期の二方向性正弦波電圧、二方向性方波電圧、或いは二方向性脈動波形の電圧の交流電気エネルギー。
【００２６】
整流装置ＢＲ１０１は、少なくとも一個の整流装置ＢＲ１０１を設置することによって、第一インピーダンスＺ１０１或いは第二インピーダンスＺ１０２の両端からの分圧電気エネルギーを入力し、或いは二個或いは二個以上の整流装置ＢＲ１０１を設置して別々に第一インピーダンスＺ１０１及び第二インピーダンスＺ１０２の両端からの分圧電気エネルギーを入力し、第一インピーダンスＺ１０１或いは第二インピーダンスＺ１０２の両端の分圧する電気エネルギーを直流の電気エネルギーに整流し、一方向性導電発光ダイオードセットＬ１００を駆動する。
【００２７】
整流装置ＢＲ１０１は、ブリッジ整流器或いは半波整流器より構成することが可能であり、整流装置ＢＲ１０１の数量は、一個或いは一個以上である。
一方向性導電発光ダイオードセットＬ１００は、一個の発光ダイオードＬＥＤ１０１順発光電流極性検出器より構成し、或いは二個或いは二個以上の発光ダイオードＬＥＤ１０１順発光電流極性検出器を直列或いは並列接続にして構成し、或いは三個或いは三個以上の発光ダイオードＬＥＤ１０１順発光電流極性検出器を直列、並列または直並列接続にして構成する。一方向性導電発光ダイオードセットＬ１００は必要に応じて一セット或いは一セット以上の選択が可能で、整流装置ＢＲ１０１出力の直流の電気エネルギーによって駆動する。
【００２８】
整流装置ＢＲ１０１の交流入力端へ第二インピーダンスＺ１０２のコンデンサーＣ１０２の両端にある分電圧の電気エネルギーを入力し、整流装置ＢＲ１０１によって直流電気エネルギーに整流することによって、一方向性導電発光ダイオードセットＬ１００を駆動し、また第一インピーダンスＺ１０１のインピーダンスを通して電流を制限する。第一インピーダンスＺ１０１にキャパシティブインピーダンスコンポネントＣ１００を用いるとき、キャパシティブインピーダンスを通して出力電流を制限する。
【００２９】
放電抵抗Ｒ１０１は、オプションコンポネントである。第一インピーダンスＺ１０１のコンデンサーＣ１００の両端に並列接続することによって、コンデンサーＣ１００の残留電荷を放電する。
放電抵抗Ｒ１０２は、オプションコンポネントである。第二インピーダンスＺ１０２のコンデンサーＣ１０２の両端に並列接続することによって、コンデンサーＣ１０２の残留電荷を放電する。
【００３０】
限流抵抗Ｒ１０３は、オプションコンポネントである。個別一方向性導電発光ダイオードセットＬ１００を構成する発光ダイオードＬＥＤ１０１を直列に接続することによって、発光ダイオードＬＥＤ１０１の通過電流を制限する。限流抵抗Ｒ１０３は誘導性インピーダンスコンポネントＩ１０３によって取り替えられることが可能である。
第一インピーダンスＺ１０１、第二インピーダンスＺ１０２、整流装置ＢＲ１０１及び一方向性導電発光ダイオードセットＬ１００を通して、上記の配線構造に従って接続し、ＬＥＤ一方向性駆動回路Ｕ１００を構成する。
【００３１】
また本発明の第１実施形態による二方向性電気エネルギーインピーダンス分圧によるＬＥＤ一方向性駆動回路のＬＥＤ一方向性駆動回路Ｕ１００において、一方向性導電発光ダイオードセットＬ１００を通して、整流装置ＢＲ１０１と第二インピーダンスＺ１０２を経て、並列接続の電流分流効果を形成し、電源電圧が変動するとき、一方向性導電発光ダイオードセットＬ１００の両端に相対する電源の電圧変動率を減少させることが可能である。
【００３２】
本発明の第１実施形態による二方向性電気エネルギーインピーダンス分圧によるＬＥＤ一方向性駆動回路のＬＥＤ一方向性駆動回路Ｕ１００において、一方向性導電発光ダイオードセットＬ１００を構成する発光ダイオードＬＥＤ１０１の選択は以下のようであってもよい。
一方向性導電発光ダイオードセットＬ１００は、一個の発光ダイオード順発光電流極性検出器を設置するによって構成され、或いは二個或いは二個以上の発光ダイオード順発光電流極性検出器を直列接続或いは並列接続によって構成され、或いは三個或いは三個以上の発光ダイオード順発光電流極性検出器を直列接続、並列接続または直並列接続によって構成される。一方向性導電発光ダイオードセットＬ１００は必要に応じて一セット或いは一セット以上を選択設置する。
【００３３】
（第２実施形態）
図３は、本発明の第２実施形態による二方向性電気エネルギーインピーダンス分圧によるＬＥＤ一方向性駆動回路の回路例を示す模式図である。
発光ダイオードＬＥＤ１０１を保護し、かつ発光ダイオードＬＥＤ１０１の異常電圧による損傷或いは寿命短縮を防ぐために、本発明の第２実施形態による二方向性電気エネルギーインピーダンス分圧によるＬＥＤ一方向性駆動回路は、ＬＥＤ一方向性駆動回路Ｕ１００において、更に一方向性導電発光ダイオードセットＬ１００を構成する発光ダイオードＬＥＤ１０１の両端をツェナーダイオードＺＤ１０１と並列接続し、或いはツェナーダイオードＺＤ１０１をまず少なくとも一個のダイオードと直列接続し、ツェナー電圧効果を生じさせてから、再び発光ダイオードＬＥＤ１０１の両端と並列に接続する。
【００３４】
その構成は、以下のいずれかである。
ＬＥＤ一方向性駆動回路Ｕ１００の中に、一方向性導電発光ダイオードセットＬ１００を構成する発光ダイオードＬＥＤ１０１の両端をツェナーダイオードＺＤ１０１と並列接続し、その極性関係はツェナーダイオードＺＤ１０１のツェナー電圧によって、発光ダイオードＬＥＤ１０１の両端の工作電圧を制限する。
【００３５】
ＬＥＤ一方向性駆動回路Ｕ１００の中で、一方向性導電発光ダイオードセットＬ１００を構成する発光ダイオードＬＥＤ１０１の両端に、ツェナーダイオードＺＤ１０１を並列接続し、ツェナーダイオードＺＤ１０１は必要に応じてダイオードＣＲ２０１とツェナーダイオードＺＤ１０１を直列接続する加設を選択し、共同してツェナー電圧効果の機能を形成する。その利点は（１）ツェナーダイオードＺＤ１０１を保護し、不正常な逆方向電流を防ぐことが可能であることと、（２）ダイオードＣＲ２０１とツェナーダイオードＺＤ１０１の二者は、温度補償効果を持っていることである。
【００３６】
（第三実施形態）
図４及び図５は、本発明の第３実施形態による二方向性電気エネルギーインピーダンス分圧によるＬＥＤ一方向性駆動回路の回路例を示す模式図である。
本発明の第３実施形態による二方向性電気エネルギーインピーダンス分圧によるＬＥＤ一方向性駆動回路のＬＥＤ一方向性駆動回路Ｕ１００において、発光ダイオードＬＥＤ１０１の発光安定度を高めるために、更に発光ダイオードＬＥＤ１０１に充放電可能装置ＥＳＤ１０１を設置する。充放電可能装置ＥＳＤ１０１は、アットランダムに充電或いは電気エネルギーを釈放することによって、発光ダイオードＬＥＤ１０１の発光安定度を安定させ、明度の脈動を減少する。或いは断電時、充放電可能装置ＥＳＤ１０１により貯蔵した電気エネルギーを出力することより、充放電可能装置ＥＳＤ１０１を駆動し、持続発光させる。
【００３７】
図４は、ＬＥＤ一方向性駆動回路Ｕ１００における発光ダイオードと直列に接続する限流抵抗の両端を充放電可能装置と並列に接続するときの回路例を示す。
図５は、ＬＥＤ一方向性駆動回路Ｕ１００における発光ダイオードの両端を充放電可能装置と並列に接続するときの回路例を示す。
本発明の第３実施形態による二方向性電気エネルギーインピーダンス分圧によるＬＥＤ一方向性駆動回路の構成について以下に述べる。
【００３８】
更に一方向性導電発光ダイオードセットＬ１００を蓄放電可能装置ＥＳＤ１０１と接続し、図４に示すように、発光ダイオードＬＥＤ１０１と限流抵抗Ｒ１０３を直列接続後の両端、或いは図５に示すように、直接に発光ダイオードＬＥＤ１０１の両端に、極性に従って充放電可能装置ＥＳＤ１０１を並列接続する。充放電可能装置ＥＳＤ１０１は、アットランダムに充電或いは電気エネルギーを放出することによって、発光ダイオードＬＥＤ１０１の発光安定度を安定させ、断電時、充放電可能装置ＥＳＤ１０１より貯蔵した電気エネルギーを出力することより、発光ダイオードＬＥＤ１０１を駆動して持続発光させる。
【００３９】
充放電可能装置ＥＳＤ１０１は、各種のよく使われる充放電可能な電池、超コンデンサー、コンデンサーによって構成される。
本発明の第１から第３実施形態の回路例において、応用の必要に応じて、第一インピーダンスＺ１０１、第二インピーダンスＺ１０２、整流装置ＢＲ１０１、一方向性導電発光ダイオードセットＬ１００、発光ダイオードＬＥＤ１０１及び上記の各項の選択補助性回路のコンポネントは、必要に応じて設置するかしないかを選択し、かつその設置数量は一個或いは一個以上によって構成され、もし一個以上を選択する場合、回路機能の必要に応じて、相対極性関係を直列、並列または直並列接続にすることを選定する。その構成について、以下に説明する。
【００４０】
第一インピーダンスＺ１０１は、一個に或いは一個以上によって構成されることが可能で、かつ直列接続、並列接続または直並列接続される。複数個を設置するとき、各第一インピーダンスＺ１０１は同じ類別のキャパシティブインピーダンス、誘導性インピーダンスコンポネント或いは抵抗性インピーダンスコンポネントによって構成され、或いは異なる類別のインピーダンスコンポネントによって構成される。そのインピーダンス値は同じ或いは異なってもよい。
【００４１】
第二インピーダンスＺ１０２は、一個に或いは一個以上によって構成されることが可能で、かつ直列接続、並列接続または直並列接続される。複数個を設置するとき、各第二インピーダンスは同じ類別のキャパシティブインピーダンス、誘導性インピーダンスコンポネント或いは抵抗性インピーダンスコンポネントによって構成され、或いは異なる類別のインピーダンスコンポネントによって構成される。そのインピーダンス値は同じ或いは異なってもよい。
発光ダイオードＬＥＤ１０１は、一個或いは一個以上より構成され、しかも直列、並列、または直並列接続されることが可能である。
【００４２】
ＬＥＤ一方向性駆動回路Ｕ１００の一方向性導電発光ダイオードセットＬ１００において、一セットの一方向性導電発光ダイオードセットＬ１００を選択設置し、或いは一セット以上の一方向性導電発光ダイオードセットＬ１００を選択設置し、直列、並列または直並列に接続することが可能である。一方向性導電発光ダイオードセットＬ１００は、もし一セット或いは一セット以上を選択設置した場合、対応する整流装置ＢＲ１０１を介して、共同して同一第二インピーダンスＺ１０２の分圧電気エネルギーによって駆動され、或いは、多セットの直列或いは並列に接続する第二インピーダンスＺ１０２の分圧電気エネルギーにより個別に駆動される。その多セットの個々の第二インピーダンスＺ１０２は、それぞれ整流装置ＢＲ１０１とともに設置され、それぞれ対応する一方向性導電発光ダイオードセットＬ１００を駆動する。
【００４３】
ＬＥＤ一方向性駆動回路Ｕ１００の中に充放電可能装置ＥＳＤ１０１を設けた場合、一方向性導電発光ダイオードセットＬ１００の中の発光ダイオードＬＥＤ１０１を駆動し、連続直流によって通電発光する。
もし充放電可能装置ＥＳＤ１０１を設置しない場合、発光ダイオードＬＥＤ１０１は断続導電となり、発光ダイオードＬＥＤ１０１は入力電圧波形及び導電と断電時間の割合（Ｄｕｔｙ  Ｃｙｃｌｅ）に従って、また通電発光時の順電流値（Ｆｏｒｗａｒｄ  Ｃｕｒｒｅｎｔ）を相対選定し、かつ一方向性導電性発光ダイオードセットＬ１００の各発光ダイオードＬＥＤ１０１の通電発光時の順電圧ピーク値（Ｐｅａｋ  ｏｆ  Ｆｏｒｗａｒｄ  Ｖｏｌｔａｇｅ）の構成を相対選択する。その選択は以下のいずれかである。
【００４４】
１）発光ダイオードＬＥＤ１０１の定格順電圧（Ｒａｔｅ  Ｆｏｒｗａｒｄ  Ｖｏｌｔａｇｅ）より低い値を通電発光の順電圧ピーク値とする。
２）発光ダイオードＬＥＤ１０１の定格順電圧を通電発光の順電圧ピーク値とする。
３）もし回路中発光ダイオードＬＥＤ１０１が断続導電の駆動状態になった場合、導電及び断電時間の割合に従って、また定格順電圧より高い値を通電発光の順電圧ピーク値として相対選定する。ただし原則として、通電発光の順電圧ピーク値は発光ダイオードＬＥＤ１０１にダメージを与えてはならない。
【００４５】
上記の通電発光の順電圧（Ｆｏｒｗａｒｄ  Ｖｏｌｔａｇｅ）の高低及び波形は、通電発光の順電圧が通電発光の順電流に対する割合（Ｆｏｒｗａｒｄ  Ｖｏｌｔａｇｅ  ｖｓ．  Ｆｏｒｗａｒｄ  Ｃｕｒｒｅｎｔ）の電流大小及び電流波形を形成する。ただし原則として、通電発光の順電流ピーク値は、発光ダイオードＬＥＤ１０１にダメージを与えてはならない。
上記の順向電流の大小及び波形を通して、必要な電流が相対光度に対する割合（Ｆｏｒｗａｒｄ  Ｃｕｒｒｅｎｔ  ｖｓ．  Ｒｅｌａｔｉｖｅ  Ｌｕｍｉｎｏｓｉｔｙ）の照度を形成し或いは照度変化を有段或いは無段に調整制御する。
【００４６】
放電抵抗Ｒ１０１は、必要に応じて選択的に一個或いは一個以上によって構成され、直列、並列または直並列接続する。
放電抵抗Ｒ１０２は、必要に応じて選択的に一個或いは一個以上によって構成され、直列、並列または直並列接続する。
限流抵抗Ｒ１０３は、必要に応じて選択的に一個或いは一個以上によって構成され、直列、並列または直並列接続する。
【００４７】
誘導性インピーダンスコンポネントＩ１０３は、一個或いは一個以上によって構成され、直列、並列または直並列接続する。
ツェナーダイオードＺＤ１０１は、一個或いは一個以上によって構成され、直列、並列または直並列接続する。
ダイオードＣＲ２０１は、一個或いは一個以上によって構成され、直列、並列または直並列接続する。
充放電可能装置ＥＳＤ１０１は、一個或いは一個以上によって構成され、直列、並列または直並列接続する。
【００４８】
本発明の実施形態による二方向性電気エネルギーインピーダンス分圧によるＬＥＤ一方向性駆動回路のＬＥＤ一方向性駆動回路Ｕ１００を応用するとき、以下の各種形態の二方向性電気エネルギーのいずれかの入力が可能である。
（１）固定或いは可変電圧及び固定或いは可変周波数の交流電気エネルギー。
（２）直流電源から転換される固定或いは可変電圧及び固定或いは可変周波数或いは周期の二方向性正弦波電圧、二方向性方波電圧、或いは二方向性脈動波形の電圧の交流電気エネルギー。
（３）交流電気エネルギーを整流した直流電気エネルギーを再転換した固定或いは可変電圧及び固定或いは可変周波数或いは周期の二方向性正弦波電圧、二方向性方波電圧、或いは二方向性脈動波形の電圧の交流電気エネルギー。
【００４９】
更に必要に応じて、下記各能動制御回路装置を選択接続し、その各応用回路について以下に説明する。
（第４実施形態）
図６は、本発明の第４実施形態による二方向性電気エネルギーインピーダンス分圧によるＬＥＤ一方向性駆動回路において、直列電気エネルギーパワーコントローラーと直列に接続する回路例を示すブロック図である。
【００５０】
直列電気エネルギーパワーコントローラーについて以下に説明する。
直列式二方向性電気エネルギーパワーコントローラー３００は、よく使われるメカトロニクスコンポネント或いは固体パワーコンポネント及び電子回路関連コンポネントによって構成され、二方向性電気エネルギーの出力パワーを制御する。
直列式直流の電気エネルギーパワーコントローラー３６０は、よく使われるメカトロニクスコンポネント或いは固体パワーコンポネント及び電子回路関連コンポネントによって構成され、安定電圧の直流の電気エネルギー或いは直流脈動の電気エネルギーの出力パワーを調整制御する。
【００５１】
回路の作動機能は以下のいずれかである。
（１）必要に応じて直列式二方向性電気エネルギーパワーコントローラー３００の選択設置が可能で、ＬＥＤ一方向性駆動回路Ｕ１００を直列接続し、二者を直列接続してから、電源からの二方向性電気エネルギーを入力し、直列式二方向性電気エネルギーパワーコントローラー３００を通して、電源からの二方向性電気エネルギーを調整制御し、またパルス幅変調（Ｐｕｌｓｅ  Ｗｉｄｔｈ  Ｍｏｄｕｌａｔｉｏｎ）を行い、或いは導電の位相角を制御し、或いはインピーダンスの調整制御等の方式でパワーを調整制御することによって、ＬＥＤ一方向性駆動回路Ｕ１００を駆動する。
【００５２】
（２）必要に応じて直列式二方向性電気エネルギーパワーコントローラー３００の選択設置が可能で、第二インピーダンスＺ１０２と整流装置ＢＲ１０１交流入力端の間に直列接続し、直列式二方向性電気エネルギーパワーコントローラー３００を通して、第二インピーダンスＺ１０２の両端からの分圧の二方向性電気エネルギーを調整制御し、パルス幅変調或いは導電の位相角を制御し、或いはインピーダンスの調整制御等の方式でパワーを制御することによって、整流装置ＢＲ１０１を通して一方向性導電発光ダイオードセットＬ１００を駆動する。
【００５３】
（３）必要に応じて直列式直流の電気エネルギーパワーコントローラー３６０の選択設置が可能で、整流装置ＢＲ１０１の直流出力端と一方向性導電発光ダイオードセットＬ１００の間を直列接続し、直列式直流の電気エネルギーパワーコントローラー３６０を経て、整流装置ＢＲ１０１からの直流の電気エネルギーをパルス幅変調を行い、或いは導電の位相角を制御し、或いはインピーダンスの調整制御等の方式でパワーを調整制御することによって、一方向性導電発光ダイオードセットＬ１００を駆動する。
【００５４】
（第５実施形態）
図７は、本発明の第５実施形態による二方向性電気エネルギーインピーダンス分圧によるＬＥＤ一方向性駆動回路において、並列式電気エネルギーパワーコントローラーと並列に接続する回路例を示すブロック図である。
並列式電気エネルギーパワーコントローラーについて以下に説明する。
【００５５】
並列式二方向性電気エネルギーパワーコントローラー４００は、よく使われるメカトロニクスコンポネント或いは固体パワーコンポネント及び電子回路関連コンポネントによって構成され、二方向性電気エネルギーの出力を制御する。
並列式直流の電気エネルギーパワーコントローラー４６０は、よく使われるメカトロニクスコンポネント或いは固体パワーコンポネント及び電子回路関連コンポネントによって構成され、安定電圧の直流の電気エネルギー或いは直流脈動の電気エネルギーの出力を調整制御する。
【００５６】
回路の作動機能は以下のいずれかである。
（１）必要に応じて並列式二方向性電気エネルギーパワーコントローラー４００の選択設置が可能で、その出力端をＬＥＤ一方向性駆動回路Ｕ１００を並列接続し、かつ並列式二方向性電気エネルギーパワーコントローラー４００の入力端へ電源からの二方向性電気エネルギーを入力し、並列式二方向性電気エネルギーパワーコントローラー４００を通して、電源からの二方向性電気エネルギーを調整制御し、パルス幅変調を行い、或いは導電の位相角を制御し、或いはインピーダンスを調整制御する等の方式でパワーを調整制御することより、ＬＥＤ一方向性駆動回路Ｕ１００を駆動する。
【００５７】
（２）必要に応じて並列式二方向性電気エネルギーパワーコントローラー４００の選択設置が可能で、その出力端は整流装置ＢＲ１０１の二方向性電気エネルギーの入力端に並列接続し、並列式二方向性電気エネルギーパワーコントローラー４００の入力端は、第二インピーダンスＺ１０２の両端に並列接続し、並列式二方向性電気エネルギーパワーコントローラー４００を通して、第二インピーダンスＺ１０２の両端からの分圧の二方向性電気エネルギーを調整制御し、パルス幅変調を行い、或いは導電の位相角をコントロールし、或いはインピーダンスの調整制御等の方式でパワーを調整制御することによって、整流装置ＢＲ１０１を経て一方向性導電発光ダイオードセットＬ１００を駆動する。
【００５８】
（３）必要に応じて並列式直流の電気エネルギーパワーコントローラー４６０の選択設置が可能で、その出力端を一方向性導電発光ダイオードセットＬ１００と並列接続し、かつ並列式直流の電気エネルギーパワーコントローラー４６０の入力端を整流装置ＢＲ１０１の直流出力端と並列接続し、並列式直流の電気エネルギーパワーコントローラー４６０を通して、整流装置ＢＲ１０１からの直流の電気エネルギーを調整制御し、パルス幅変調を行い、或いは導電の位相角を制御し、或いはインピーダンスを調整制御する等の方式でパワーを調整制御することによって、一方向性導電発光ダイオードセットＬ１００を駆動する。
【００５９】
（第６実施形態）
図８は、本発明の第６実施形態による二方向性電気エネルギーインピーダンス分圧によるＬＥＤ一方向性駆動回路において、直列式電気エネルギーパワーコントローラーに直列接続してから、ＤＣ−ＡＣインバータの電気エネルギーの出力によって駆動される回路例を示すブロック図である。
【００６０】
ＤＣ−ＡＣインバータ及び直列式電気エネルギーパワーコントローラーについて以下に説明する。
ＤＣ−ＡＣインバータ（ＤＣ  ｔｏ  ＡＣ  Ｉｎｖｅｒｔｅｒ）４０００は、よく使われるメカトロニクス或いは固体パワーコンポネント及び電子回路関連コンポネントより構成され、その入力端は必要に応じて選定する固定或いは可変電圧の直流の電気エネルギーを入力し、或いは交流電気エネルギーから整流後の直流電気エネルギーを入力する。その出力端は必要に応じて選定する固定或いは可変電圧及び固定或いは可変交換極性周波数或いは周期の二方向性正弦波、或いは二方向性方波、或いは二方向性脈動波の二方向性電気エネルギーを出力する。
【００６１】
直列式二方向性電気エネルギーパワーコントローラー３００は、よく使われるメカトロニクスコンポネント或いは固体パワーコンポネント及び電子回路関連コンポネントによって構成され、二方向性電気エネルギーの出力パワーを制御する。
直列式直流の電気エネルギーパワーコントローラー３６０は、よく使われるメカトロニクスコンポネント或いは固体パワーコンポネント及び電子回路関連コンポネントによって構成され、安定電圧の直流の電気エネルギー或いは直流脈動の電気エネルギーの出力パワーを調整制御する。
【００６２】
回路の作動機能は以下のいずれかである。
（１）必要に応じて直列式二方向性電気エネルギーパワーコントローラー３００の選択設置が可能で、ＬＥＤ一方向性駆動回路Ｕ１００と直列接続し、二者を直列接続してから、ＤＣ−ＡＣインバータ４０００の出力端に並列接続し、ＤＣ−ＡＣインバータ４０００は、必要に応じて選定する固定或いは可変電圧及び固定或いは可変交換極性周波数或いは周期の二方向性正弦波或いは二方向性方波或いは二方向性脈動波の二方向性電気エネルギーを出力し、直列式二方向性電気エネルギーパワーコントローラー３００によって、ＤＣ−ＡＣインバータ４０００から出力する二方向性電気エネルギーを調整制御し、パルス幅変調或いは導電の位相角を制御し、或いはインピーダンスの調整制御等の方式でパワーを制御することによって、ＬＥＤ一方向性駆動回路Ｕ１００を制御と駆動する。
【００６３】
（２）必要に応じて直列式二方向性電気エネルギーパワーコントローラー３００の選択設置が可能で、第二インピーダンスＺ１０２と整流装置ＢＲ１０１交流入力端との間に直列接続し、直列式二方向性電気エネルギーパワーコントローラー３００を通して、第二インピーダンスＺ１０２の両端からの分圧の二方向性電気エネルギーを調整制御し、パルス幅変調或いは導電の位相角を制御し、或いはインピーダンスの調整制御等の方式でパワーを制御することによって、整流装置ＢＲ１０１を通して一方向性導電発光ダイオードセットＬ１００を駆動する。
【００６４】
（３）必要に応じて直列式直流の電気エネルギーパワーコントローラー３６０の選択設置が可能で、整流装置ＢＲ１０１の直流出力端と一方向性導電発光ダイオードセットＬ１００の間を直列接続し、直列式直流の電気エネルギーパワーコントローラー３６０を経て、整流装置ＢＲ１０１からの直流の電気エネルギーをパルス幅変調を行い、或いは導電の位相角を制御し、或いはインピーダンスの調整制御等の方式でパワーを調整制御することによって、一方向性導電発光ダイオードセットＬ１００を駆動する。
【００６５】
（第７実施形態）
図９は、本発明の第７実施形態による二方向性電気エネルギーインピーダンス分圧によるＬＥＤ一方向性駆動回路において、並列式電気エネルギーパワーコントローラーに並列接続してから、ＤＣ−ＡＣインバータの電気エネルギーの出力によって駆動される回路例を示すブロック図である。
【００６６】
ＤＣ−ＡＣインバータ及び並列式電気エネルギーパワーコントローラーについて、以下に説明する。
ＤＣ−ＡＣインバータ４０００は、よく使われるメカトロニクス或いは固体パワーコンポネント及び電子回路関連コンポネントより構成され、その入力端は必要に応じて選定する固定或いは可変電圧の直流の電気エネルギーを入力し、或いは交流電気エネルギーから整流後の直流電気エネルギーを入力する。その出力端は必要に応じて選定する固定或いは可変電圧及び固定或いは可変交換極性周波数或いは周期の二方向性正弦波、或いは二方向性方波、或いは二方向性脈動波の二方向性電気エネルギーを出力する。
【００６７】
並列式二方向性電気エネルギーパワーコントローラー４００は、よく使われるメカトロニクスコンポネント或いは固体パワーコンポネント及び電子回路関連コンポネントによって構成され、二方向性電気エネルギーの出力パワーを制御する。
並列式直流の電気エネルギーパワーコントローラー４６０は、よく使われるメカトロニクスコンポネント或いは固体パワーコンポネント及び電子回路関連コンポネントによって構成され、安定電圧の直流の電気エネルギー或いは直流脈動の電気エネルギーの出力パワーを調整制御する。
【００６８】
回路の作動機能は以下のいずれかである。
（１）必要に応じて並列式二方向性電気エネルギーパワーコントローラー４００の選択設置が可能で、その出力端をＬＥＤ一方向性駆動回路Ｕ１００の入力端に並列接続し、かつ並列式二方向性電気エネルギーパワーコントローラー４００の入力端にＤＣ−ＡＣインバータ４０００より出力する二方向性電気エネルギーを入力してから、並列式二方向性電気エネルギーパワーイントローラー４００を通して、ＤＣ−ＡＣインバータ４０００から出力する二方向性電気エネルギーを調整制御し、パルス幅変調或いは導電の位相角を制御し、或いはインピーダンスの調整制御等の方式でパワーを制御することによって、ＬＥＤ一方向性駆動回路Ｕ１００を駆動する。
【００６９】
（２）必要に応じて並列式二方向性電気エネルギーパワーコントローラー４００の選択設置が可能で、その出力端を整流装置ＢＲ１０１の交流入力端に並列接続し、並列式二方向性電気エネルギーパワーコントローラー４００の入力端は、第二インピーダンスＺ１０２に並列接続し、並列式二方向性電気エネルギーパワーコントローラー４００を通して、第二インピーダンスＺ１０２の両端からの分圧の二方向性電気エネルギーを調整制御し、パルス幅変調を行い、或いは導電の位相角をコントロールし、或いはインピーダンスの調整制御等の方式でパワーを調整制御することによって、整流装置ＢＲ１０１を経て一方向性導電発光ダイオードセットＬ１００を駆動する。
【００７０】
（３）必要に応じて並列式直流の電気エネルギーパワーコントローラー４６０の選択設置が可能で、その出力端を一方向性導電発光ダイオードセットＬ１００と並列接続し、かつ並列式直流の電気エネルギーパワーコントローラー４６０の入力端を整流装置ＢＲ１０１の直流出力端と並列接続し、並列式直流の電気エネルギーパワーコントローラー４６０を通して、整流装置ＢＲ１０１からの直流の電気エネルギーを調整制御し、パルス幅変調を行い、或いは導電の位相角を制御し、或いはインピーダンスを調整制御する等の方式でパワーを調整制御することによって、一方向性導電発光ダイオードセットＬ１００を駆動する。
【００７１】
（第８実施形態）
図１０は、本発明の第８実施形態による二方向性電気エネルギーインピーダンス分圧によるＬＥＤ一方向性駆動回路において、ＤＣ−ＡＣインバータより出力する電気エネルギーを受けてから駆動する回路例を示すブロック図である。
ＤＣ−ＡＣインバータ４０００は、よく使われるメカトロニクス或いは固体パワーコンポネント及び電子回路関連コンポネントより構成され、その入力端は必要に応じて選定する固定或いは可変電圧の直流の電気エネルギーを入力し、或いは交流電気エネルギーからを整流後の直流電気エネルギーを入力する。その出力端は必要に応じて選定する固定或いは可変電圧及び固定或いは可変交換極性周波数或いは周期の二方向性正弦波、或いは二方向性方波、或いは二方向性脈動波の二方向性電気エネルギーを出力する。
【００７２】
回路の作動機能について説明する。
ＬＥＤ一方向性駆動回路Ｕ１００をよく使われるＤＣ−ＡＣインバータ４０００の出力端に並列接続する。ＤＣ−ＡＣインバータ４０００の入力端は、必要に応じて選定する固定或いは可変電圧直流電気エネルギーを入力し、或いは交流電気エネルギーからを整流後の直流電気エネルギーを入力する。
【００７３】
ＤＣ−ＡＣインバータ４０００の出力端から、必要に応じて選定する固定或いは可変電圧及び固定或いは可変交換極性周期の二方向性正弦波或いは二方向性方波或いは二方向性脈動波の電気エネルギーを出力することによって、ＬＥＤ一方向性駆動回路Ｕ１００を制御及び駆動する。
更にＤＣ−ＡＣインバータ４０００の出力パワーの制御を通して、ＬＥＤ一方向性駆動回路Ｕ１００へ伝送する。或いは出力する電気エネルギーに対して、パルス幅変調或いは導電の位相角を制御し、或いはインピーダンスの調整制御等の方式でパワーを制御することによって、ＬＥＤ一方向性駆動回路Ｕ１００の電気エネルギーパワーへの伝送を制御する。
【００７４】
（第９実施形態）
図１１は、本発明の第９実施形態による二方向性電気エネルギーインピーダンス分圧によるＬＥＤ一方向性駆動回路において、インピーダンスコンポネントと直列に接続する回路例を示すブロック図である。
ＬＥＤ一方向性駆動回路Ｕ１００を少なくとも一個のよく使われるインピーダンスコンポネント５００と直列接続してから、電源と並列に接続する。インピーダンスコンポネント５００は以下のいずれかである。
【００７５】
（１）キャパシティブインピーダンス特性を持つコンポネントよりを構成する。
（２）誘導性インピーダンス特性を持つデバスよりを構成する。
（３）抵抗性インピーダンス特性を持つコンポネントよりを構成する。
（４）単一インピーダンスコンポネントが同時にキャパシティブインピーダンス、誘導性インピーダンス或いは抵抗性インピーダンスの中で少なくとも二種の合成インピーダンス特性を持つコンポネントより構成されることによって、直流性質のインピーダンス或いは交流性質のインピーダンスを提供する。
【００７６】
（５）単一インピーダンスコンポネントが誘導性インピーダンス及びキャパシティブインピーダンスの合成インピーダンス特性を持つコンポネントより構成され、固有共振周波数は、二方向性電気エネルギーからの周波数或いは周期と同じで、また並列共振状態になることが可能である。
（６）キャパシティブインピーダンスコンポネント、誘導性インピーダンスコンポネント或いは抵抗性インピーダンスコンポネントより構成され、その中の一種或いは一種以上を含み、一個或いは一個以上のインピーダンスコンポネントより構成され、或いは二種或いは二種以上の直列、並列或いは直並列に接続するインピーダンスコンポネントを採用し、直流性質のインピーダンス或いは交流性質のインピーダンスを提供する。
【００７７】
（７）キャパシティブインピーダンスコンポネントと誘導性インピーダンスコンポネントが互いに直列に接続することより構成され、直列接続してからの固有直列共振周波数は、二方向性電気エネルギーからの周波数或いは周期と同じで、かつ直列共振状態を形成し、また相対的にキャパシティブインピーダンスコンポネント或いは誘導性インピーダンスコンポネントの両端に、直列共振を示す相対端の電圧を形成することが可能である。或いは、キャパシティブインピーダンスと誘導性インピーダンスを互いに並列接続し、並列接続後の固有並列共振周波数は、通過する二方向性或いは一方向性脈動の電気エネルギーの周波数或いは周期は同じで、かつ並列共振状態を形成し、及び相対の端電圧を形成することが可能である。
【００７８】
またさらに、少なくとも二個のインピーダンスコンポネント５００が、メカトロニクスコンポネント或いは固体コンポネントとの接続によって、スイッチユニット６００を構成し、かつ直列、並列または直並列接続の切り替えを行うことより、ＬＥＤ一方向性駆動回路Ｕ１００のパワーへの出力を調節制御してもよい。図１２に、インピーダンスコンポネントをスイッチ装置に通して、直列、並列または直並列に接続する制御回路例のブロック図を示す。
【００７９】
（第１０実施形態）
本発明の第１０実施形態による二方向性電気エネルギーインピーダンス分圧によるＬＥＤ一方向性駆動回路において、第二インピーダンスＺ１０２の誘導性インピーダンスコンポネントＩ２００の選択は、更に誘導効果を持つ変圧器の電源巻線セットによって取り替えられることが可能である。変圧器は単巻変圧巻線を持つ単巻変圧器ＳＴ２００、或いは分離式変圧巻線を持つ変圧器ＩＴ２００に選択することが可能である。
【００８０】
図１３は、本発明の第１０実施形態による二方向性電気エネルギーインピーダンス分圧によるＬＥＤ一方向性駆動回路において、単巻変圧器の単巻変圧の電源巻線によって第二インピーダンスの誘導性インピーダンスコンポネントを取り替える昇圧回路例示す模式図である。
図１３の単巻変圧器ＳＴ２００は、昇圧機能を持つ単巻変圧巻線Ｗ０を備え、単巻変圧器ＳＴ２００の単巻変圧巻線Ｗ０のｂ、ｃ端を電源側とし、第二インピーダンスＺ１０２の中の誘導性インピーダンスコンポネントＩ２００を取り替えることによって、第二インピーダンスＺ１０２を構成し、第一インピーダンスＺ１０１のコンデンサーＣ１００と直列接続した固有直列共振周波数は、電源からの二方向性電気エネルギー、例えば交流電気エネルギーの周波数、或いは直流電気エネルギーから転換される固定或いは可変電圧及び固定或いは可変交換極性周期の電気エネルギーの交換極性周期と同じで、かつ直列共振状態を形成する。単巻変圧器ＳＴ２００の単巻変圧巻線Ｗ０のａ、ｃ出力端から昇圧交流の電気エネルギーを出力し、整流装置ＢＲ１０１の交流入力端へ出力し、かつ整流装置ＢＲ１０１の直流出力端によって、一方向性導電発光ダイオードセットＬ１００を駆動する。
【００８１】
図１４は、本発明の第１０実施形態による二方向性電気エネルギーインピーダンス分圧によるＬＥＤ一方向性駆動回路において、単巻変圧器の単巻変圧の電源巻線によって第二インピーダンスの誘導性インピーダンスコンポネントを取り替える降圧回路例示す模式図を示す。
図１４の単巻変圧器ＳＴ２００は、降圧機能を持つ単巻変圧巻線Ｗ０を備え、単巻変圧器ＳＴ２００の単巻変圧巻線Ｗ０のａ、ｃ端を電源側とし、第二インピーダンスＺ１０２の中の誘導性インピーダンスコンポネントＩ２００を取り替えることによって、第二インピーダンスＺ１０２を構成し、第一インピーダンスＺ１０１のコンデンサーＣ１００と直列接続した固有直列共振周波数は、電源からの二方向性電気エネルギー、例えば交流電気エネルギーの周波数、或いは直流電気エネルギーから転換される固定或いは可変電圧及び固定或いは可変交換極性周期の電気エネルギーの交換極性周期と同じで、かつ直列共振状態を形成する。単巻変圧器ＳＴ２００の単巻変圧巻線Ｗ０のｂ、ｃ出力端から降圧交流の電気エネルギーを出力し、整流装置ＢＲ１０１の交流入力端へ出力し、かつ整流装置ＢＲ１０１の直流出力端によって、一方向性導電発光ダイオードセットＬ１００を駆動する。
【００８２】
図１５は、本発明の第１０実施形態による二方向性電気エネルギーインピーダンス分圧によるＬＥＤ一方向性駆動回路において、分離式変圧巻線の分離式変圧器の一次巻線によって第二インピーダンスの誘導性インピーダンスコンポネントを取り替える回路例を示す模式図である。
図１５に示す分離式変圧器ＩＴ２００は、一次巻線Ｗ１及び二次巻線Ｗ２によって構成される。一次巻線Ｗ１と二次巻線Ｗ２との二者が分離され、一次巻線Ｗ１によって第二インピーダンスＺ１０２を構成し、第一インピーダンスＺ１０１のコンデンサーＣ１００と直列接続した固有直列共振周波数は、電源からの二方向性電気エネルギー、例えば交流電気エネルギーの周波数或いは直流電気エネルギーから転換される固定或いは可変電圧及び固定或いは可変交換極性周期の電気エネルギーの交換極性周期と同じで、かつ直列共振状態を形成する。分離式変圧器ＩＴ２００の二次巻線Ｗ２の出力電圧は、必要に応じて昇圧或いは降圧の選択が可能で、二次巻線出力の交流電気エネルギーは、整流装置ＢＲ１０１の交流入力端へ出力し、整流装置ＢＲ１０１の直流出力端は、一方向性導電発光ダイオードセットＬ１００へ出力する。
【００８３】
上述を通して、変圧器の電源巻線によって第二インピーダンスＺ１０２の中の誘導性インピーダンスコンポネントＩ２００を取換え、かつ分離式変圧器ＩＴ２００の二次側昇圧出力の交流電圧或いは降圧出力の交流の電気エネルギーを整流装置ＢＲ１０１の交流入力端へ伝送してから、整流装置ＢＲ１０１の出力端から直流電気エネルギーを出力することによって、一方向性導電発光ダイオードセットＬ１００を駆動する。
【００８４】
（第１１実施形態）
本発明の第１１実施形態による二方向性電気エネルギーインピーダンス分圧によるＬＥＤ一方向性駆動回路は、第二インピーダンスＺ１０２として誘導性インピーダンスコンポネントＩ２００を選択するときは、誘導効果を持つ変圧器の電源巻線によって取り替え、またコンデンサーＣ２００と並列接続する並列共振によって、第二インピーダンスＺ０１２を構成し、変圧器は単巻変圧巻線を持つ単巻変圧器ＳＴ２００或いは分離式変圧巻線の変圧器ＩＴ２００を持つものを選択することが可能である。
【００８５】
図１６は、本発明の第１１実施形態による二方向性電気エネルギーインピーダンス分圧によるＬＥＤ一方向性駆動回路において、単巻変圧器の単巻変圧の電源巻線とコンデンサーを並列接続し、並列共振を形成する昇圧回路例を示す模式図である。
図１６の単巻変圧器ＳＴ２００は、昇圧機能を持つ単巻変圧巻線Ｗ０を備える。単巻変圧器ＳＴ２００の単巻変圧巻線Ｗ０のｂ、ｃ端を電源側とし、第二インピーダンスＺ１０２の中の誘導性インピーダンスコンポネントＩ２００を取り替えることによって、コンデンサーＣ２００と並列に接続し、並列接続後の固有並列共振周波数は、電源からの二方向性電気エネルギー、例えば交流電気エネルギーの周波数、或いは直流電気エネルギーから転換される固定或いは可変電圧及び固定或いは可変交換極性周期の電気エネルギーの交換極性周期と同じで、かつ並列共振状態を形成することによって、第二インピーダンスＺ１０２を構成し、第一インピーダンスＺ１０１を構成するコンデンサーＣ１００と直列に接続する。コンデンサーＣ２００は単巻変圧器ＳＴ２００のタップ（ＴＡＰ）のａ、ｃ間或いはｂ、ｃ間或いは必要に応じてほかのタップ間での並列接続の選択が可能で、単巻変圧器ＳＴ２００の単巻変圧巻線Ｗ０のａ、ｃ出力端から昇圧交流の電気エネルギーを出力し、整流装置ＢＲ１０１の交流入力端へ出力し、かつ整流装置ＢＲ１０１の直流出力端によって、一方向性導電発光ダイオードセットＬ１００を駆動する。
【００８６】
図１７は、本発明の第１１実施形態による二方向性電気エネルギーインピーダンス分圧によるＬＥＤ一方向性駆動回路において、単巻変圧器の単巻変圧の電源巻線とコンデンサーを並列接続し、並列共振を形成する降圧回路例を示す模式図である。
図１７の単巻変圧器ＳＴ２００は、降圧機能を持つ単巻変圧巻線Ｗ０を備える。単巻変圧器ＳＴ２００の単巻変圧巻線Ｗ０のａ、ｃ端を電源側とし、第二インピーダンスＺ１０２の中の誘導性インピーダンスコンポネントＩ２００を取り替えることによって、コンデンサーＣ２００と並列に接続し、並列接続後の固有並列共振周波数は、電源からの二方向性電気エネルギー、例えば交流電気エネルギーの周波数、或いは直流電気エネルギーから転換される固定或いは可変電圧及び固定或いは可変交換極性周期の電気エネルギーの交換極性周期と同じで、かつ並列共振状態を形成することによって、第二インピーダンスＺ１０２を構成し、第一インピーダンスＺ１０１を構成するコンデンサーＣ１００と直列に接続する。コンデンサーＣ２００は、単巻変圧器ＳＴ２００のタップのａ、ｃ間或いはｂ、ｃ間或いは必要に応じてほかのタップ間での並列接続の選択が可能で、単巻変圧器ＳＴ２００の単巻変圧巻線Ｗ０のｂ、ｃ出力端から降圧交流の電気エネルギーを出力し、整流装置ＢＲ１０１の交流入力端へ出力し、かつ整流装置ＢＲ１０１の直流出力端によって、一方向性導電発光ダイオードセットＬ１００を駆動する。
【００８７】
図１８は、本発明第１１実施形態による二方向性電気エネルギーインピーダンス分圧によるＬＥＤ一方向性駆動回路において、分離式変圧巻線の分離式変圧器を持つ一次巻線とコンデンサーを並列接続し、並列共振を形成する回路例を示す模式図である。
図１８の中にある分離式変圧器ＩＴ２００は一次巻線Ｗ１及び二次巻線Ｗ２によって構成される。一次巻線Ｗ１と二次巻線Ｗ２との二者が分離され、その一次巻線Ｗ１はコンデンサーＣ２００と並列に接続し、並列接続後の固有並列共振周波数は、電源からの二方向性電気エネルギー、例えば交流電気エネルギーの周波数、或いは直流電気エネルギーから転換される固定或いは可変電圧及び固定或いは可変交換極性周期の電気エネルギーの交換極性周期と同じで、かつ並列共振状態を形成することによって、第二インピーダンスＺ１０２を構成してから、第一インピーダンスＺ１０１を構成するコンデンサーＣ１００と直列に接続し、コンデンサーＣ２００は単巻変圧器ＳＴ２００のタップのａ、ｃ間或いはｂ、ｃ間或いは必要に応じてほかのタップ間での並列接続の選択が可能である。分離式変圧器ＩＴ２００の二次巻線Ｗ２の出力電圧は、必要に応じて昇圧或いは降圧の選択が可能で、二次巻線出力の交流電気エネルギーは、整流装置ＢＲ１０１の交流入力端へ出力し、整流装置ＢＲ１０１の直流出力端は、一方向性導電発光ダイオードセットＬ１００へ出力する。
【００８８】
上記の変圧器の電源巻線によって第二インピーダンスＺ１０２中の誘導性インピーダンスコンポネントＩ２００を取り替え、コンデンサーＣ２００と並列に接続する並列共振を通して、第二インピーダンスＺ１０２を構成する。また分離式変圧器ＩＴ２００の二次側昇圧出力する交流電圧或いは降圧出力する交流の電気エネルギーは、整流装置ＢＲ１０１の交流入力端へ出力してから、整流装置ＢＲ１０１の出力端の直流の電気エネルギーを出力することによって、一方向性導電発光ダイオードセットＬ１００を駆動する。
【００８９】
本発明の実施形態による二方向性電気エネルギーインピーダンス分圧によるＬＥＤ一方向性駆動回路において、ＬＥＤ一方向性駆動回路Ｕ１００の一方向性導電発光ダイオードセットＬ１００を構成する個別発光ダイオードＬＥＤ１０１の色は、必要に応じて一種或いは一種以上の色によって構成する選択は可能である。
本発明の実施形態による二方向性電気エネルギーインピーダンス分圧によるＬＥＤ一方向性駆動回路のＬＥＤ一方向性駆動回路Ｕ１００において、一方向性導電発光ダイオードセットＬ１００を構成する個別発光ダイオードＬＥＤ１０１の間での配列の位置関係は、（１）順序に従う線状配列、（２）順序に従う面状配列、（３）交錯する線状配列、（４）交錯する面状配列、（５）特定平面に従う幾何学的な位置配列、（６）特定立体に従う幾何的な位置配列を示すことが可能である。
【００９０】
本発明の実施形態による二方向性電気エネルギーインピーダンス分圧によるＬＥＤ一方向性駆動回路において、ＬＥＤ一方向性駆動回路Ｕ１００の中にある回路コンポネントセットの構成形態は、（１）個別回路コンポネントより単独構成してから互いに接続する、（２）少なくとも二個の回路コンポネントセットによって組立てから、少なくとも二個の一部の機能のユニットを互いに接続する、（３）全体が一体に統合される、のいずれかである。
上記をまとめると、本発明の二方向性電気エネルギーインピーダンス分圧によるＬＥＤ一方向性駆動回路は、キャパシティブ単極性充放電によって発光ダイオードを駆動すると、革新的に電気節約、低熱損失、コスト削減機能を実現する。
【符号の説明】
【００９１】
ＢＲ１０１：整流装置、Ｃ１００、Ｃ１０２、Ｃ２００：コンデンサー、ＣＲ２０１：ダイオード、ＥＳＤ１０１：充放電可能装置、Ｉ１０３、Ｉ２００：誘導性インピーダンスコンポネント、ＩＴ２００：分離式変圧器、Ｌ１００：一方向性導電発光ダイオードセット、ＬＥＤ１０１：発光ダイオード、Ｒ１０１、Ｒ１０２：放電抵抗、Ｒ１０３：限流抵抗、ＳＴ２００：単巻変圧器、Ｕ１００：ＬＥＤ一方向性駆動回路、Ｗ０：単巻変圧巻線、Ｗ１：一次巻線、Ｗ２：二次巻線、Ｚ１０１：第一インピーダンス、Ｚ１０２：第二インピーダンス、ＺＤ１０１：ツェナーダイオード、３００：直列式二方向性電気エネルギーパワーコントローラー、３６０：直列式直流の電気エネルギーパワーコントローラー、４００：並列式二方向性電気エネルギーパワーコントローラー、４６０：並列式直流の電気エネルギーパワーコントローラー、５００：インピーダンスコンポネント、６００：スイッチユニット、４０００：ＤＣ−ＡＣインバータ
【図１】
2009170918.tif 000003
【図２】
2009170918.tif 000004
【図３】
2009170918.tif 000005
【図４】
2009170918.tif 000006
【図５】
2009170918.tif 000007
【図６】
2009170918.tif 000008
【図７】
2009170918.tif 000009
【図８】
2009170918.tif 000010
【図９】
2009170918.tif 000011
【図１０】
2009170918.tif 000012
【図１１】
2009170918.tif 000013
【図１２】
2009170918.tif 000014
【図１３】
2009170918.tif 000015
【図１４】
2009170918.tif 000016
【図１５】
2009170918.tif 000017
【図１６】
2009170918.tif 000018
【図１７】
2009170918.tif 000019
【図１８】
2009170918.tif 000020
【外国語明細書】
2009170918.tif 000021
2009170918.tif 000022
2009170918.tif 000023
2009170918.tif 000024
2009170918.tif 000025
2009170918.tif 000026
2009170918.tif 000027
2009170918.tif 000028
2009170918.tif 000029
2009170918.tif 000030
2009170918.tif 000031
2009170918.tif 000032
2009170918.tif 000033
2009170918.tif 000034
2009170918.tif 000035
2009170918.tif 000036
2009170918.tif 000037
2009170918.tif 000038
2009170918.tif 000039
2009170918.tif 000040
2009170918.tif 000041
2009170918.tif 000042
2009170918.tif 000043
2009170918.tif 000044
2009170918.tif 000045
2009170918.tif 000046
2009170918.tif 000047
2009170918.tif 000048
2009170918.tif 000049
2009170918.tif 000050
2009170918.tif 000051
2009170918.tif 000052
2009170918.tif 000053
2009170918.tif 000054
2009170918.tif 000055
2009170918.tif 000056
2009170918.tif 000057
2009170918.tif 000058
2009170918.tif 000059
2009170918.tif 000060
2009170918.tif 000061
2009170918.tif 000062
2009170918.tif 000063
2009170918.tif 000064
2009170918.tif 000065
2009170918.tif 000066
2009170918.tif 000067
2009170918.tif 000068
2009170918.tif 000069
2009170918.tif 000070
2009170918.tif 000071
2009170918.tif 000072
2009170918.tif 000073
2009170918.tif 000074
2009170918.tif 000075
2009170918.tif 000076
2009170918.tif 000077
2009170918.tif 000078
2009170918.tif 000079
2009170918.tif 000080
2009170918.tif 000081
2009170918.tif 000082
2009170918.tif 000083
2009170918.tif 000084
2009170918.tif 000085
2009170918.tif 000086
2009170918.tif 000087
2009170918.tif 000088
2009170918.tif 000089
2009170918.tif 000090
2009170918.tif 000091
2009170918.tif 000092
2009170918.tif 000093